(57)【要約】【課題】スキャン可能な対象の画像の内部の関心領域の位置を予測する方法を提供すること。【解決手段】その方法は、プロセッサおよび画像センサを有するスキャナーを用意するステップと、視野方向で、スキャン可能な対象の方を検知するステップであって、撮像面が視野方向と直交する、検知するステップと、スキャン可能な対象の画像を画像センサによって捕捉するステップと、スキャン可能な対象に相対的な動きセンサ面の内部のスキャナーの動きを検知するステップであって、動きセンサ面が撮像面と平行である、検知するステップと、速度、および、速度に対応する運動方向を出力するステップと、関心領域を、前記捕捉される画像内で、速度および運動方向に応答して位置決めするステップと、捕捉される画像を、関心領域から始めてスキャンするステップとを含む。【選択図】図２
2016126797.tif 000002
【特許請求の範囲】
【請求項１】
スキャン可能な対象の画像の内部の関心領域(region of interest)の位置を予測する方法であって、
プロセッサおよび画像センサを有するスキャナーを用意するステップと、
視野方向(viewing direction)で、スキャン可能な対象に向かって当該スキャン可能な対象を検知するステップであって、撮像面が前記視野方向と直交する、検知するステップと、
前記スキャン可能な対象の画像を前記画像センサによって捕捉するステップと、
前記スキャン可能な対象に相対的な、動きセンサ面内の前記スキャナーの動きを検知するステップであって、前記動きセンサ面が前記撮像面と平行である、検知するステップと、
速度、および、前記速度に対応する運動方向を出力するステップと、
関心領域を、前記捕捉される画像内で、前記速度および前記運動方向に応答して位置決めするステップと、
前記捕捉される画像を、前記関心領域を起点としてスキャンするステップと
を含む、方法。
【請求項２】
前記関心領域を位置決めする前記ステップが、
動きが検出されないときに、前記関心領域を、前記捕捉される画像の中心で位置決めする(locating)ステップと、
動きが検出されるときに、前記関心領域を、前記捕捉される画像の前記中心からの、および、前記捕捉される画像の縁部の方への、ずれ方向(offset direction)において位置決めするステップであって、前記ずれ方向が前記運動方向と実質的に平行である、位置決めするステップと
をさらに含む、請求項１に記載の方法。
【請求項３】
前記関心領域を位置決めする前記ステップが、
動きが検出されるときに、前記関心領域を、前記画像の前記中心から測定されるずれ距離(offset distance)で位置決めするステップであって、前記ずれ距離が前記速度に比例する、位置決めするステップ
をさらに含む、請求項２に記載の方法。
【請求項４】
光源を用意するステップと、
前記光源を、前記視野方向で光を方向設定する(direct light)ように構成する(configuring)ステップと、
前記光源を、選択的に非活動化状態および活動化状態の１つであるように構成するステップと、
前記光源を、動きが検出されるときに活動化するステップと
をさらに含む、請求項１に記載の方法。
【請求項５】
光源を用意するステップと、
前記光源を、光を前記視野方向で方向設定するように構成するステップと、
前記光源を、選択的に非活動化状態および活動化状態の１つであるように構成するステップと、
前記光源を、動きが検出されるときに活動化するステップと
をさらに含む、請求項２に記載の方法。
【請求項６】
光源を用意するステップと、
前記光源を、光を前記視野方向で方向設定するように構成するステップと、
前記光源を、選択的に非活動化状態および活動化状態の１つであるように構成するステップと、
前記光源を、動きが検出されるときに活動化するステップと
をさらに含む、請求項３に記載の方法。
【請求項７】
前記画像センサと前記スキャン可能な対象との間の距離に対応する撮像距離(imaging distance)を規定するステップと、
前記画像センサに対する露出時間を規定するステップと、
前記露出時間および前記撮像距離に基づいて前記速度を推定するステップと
をさらに含む、請求項１に記載の方法。
【請求項８】
前記画像センサと前記スキャン可能な対象との間の距離に対応する撮像距離を規定するステップと、
前記画像センサに対する露出時間を規定するステップと、
前記露出時間および前記撮像距離に基づいて前記速度を推定するステップと
をさらに含む、請求項２に記載の方法。
【請求項９】
前記画像センサと前記スキャン可能な対象との間の距離に対応する撮像距離を規定するステップと、
前記画像センサに対する露出時間を規定するステップと、
前記露出時間および前記撮像距離に基づいて前記速度を推定するステップと
をさらに含む、請求項３に記載の方法。
【請求項１０】
前記画像センサに対するゲインおよび露出時間をセットするステップと、
動きが検出されるときに、前記ゲインを増大すること、または、前記露出時間を低下させることのいずれかを行うステップと
をさらに含む、請求項１に記載の方法。
【発明の詳細な説明】
【技術分野】
【０００１】
関連出願の相互参照
[0001]本出願は、ここに参照によりその全体が組み込まれている、２０１４年１２月２７日に出願された、Ａｃｃｅｌｅｒａｔｉｏｎ−Ｂａｓｅｄ  Ｍｏｔｉｏｎ  Ｔｏｌｅｒａｎｃｅ  ａｎｄ  Ｐｒｅｄｉｃｔｉｖｅ  Ｃｏｄｉｎｇ（加速度に基づく動き許容および予測符号化）に対する米国特許出願第６２／０９７，０５６号の利益を主張するものである。
【０００２】
[0002]本発明は、一般的にはバーコードスキャナーに、および、より詳細には、スマートフォンデバイスまたはポータブルデータ端末（ｐｏｒｔａｂｌｅ  ｄａｔａ  ｔｅｒｍｉｎａｌ）に埋め込まれるポータブルバーコードスキャナーに関係付けられるものである。
【背景技術】
【０００３】
[0003]従来のバーコードスキャナーは、バーコードがセンサの視界の中心を通過するときに、バーコードを復号する。しかしながらこれらの従来のバーコードスキャナーは、しばしば、バーコードがセンサの視界の中心を急速に通過するときに、特に、バーコードスキャナーがポータブルデータ端末（ＰＤＴ）またはスマートフォンデバイスであるときに、バーコードまたは他の復号可能な証印を復号することに失敗するという、制限された、加速度に基づく動き許容を有する。
【発明の概要】
【発明が解決しようとする課題】
【０００４】
本願発明の一実施例は、例えば、加速度に基づく動き許容および予測符号化に関する。
【課題を解決するための手段】
【０００５】
[0004]本発明の態様では、スキャン可能な対象の画像の内部の関心領域の位置を予測する方法は、プロセッサおよび画像センサを有するスキャナーを用意するステップと、視野方向で、スキャン可能な対象の方を検知するステップであって、撮像面が視野方向と直交する、検知するステップと、スキャン可能な対象の画像を画像センサによって捕捉するステップと、スキャン可能な対象に相対的な動きセンサ面の内部のスキャナーの動きを検知するステップであって、動きセンサ面が撮像面と平行である、検知するステップと、速度、および、速度に対応する運動方向を出力するステップと、関心領域を、前記捕捉される画像内で、速度および運動方向に応答して位置決めするステップと、捕捉される画像を、関心領域から始めてスキャンするステップとを含む。
【０００６】
[0005]実施形態では、関心領域を位置決めするステップは、動きが検出されないときに、関心領域を、捕捉される画像の中心で位置決めするステップと、動きが検出されるときに、関心領域を、捕捉される画像の中心からの、および、捕捉される画像の縁部の方への、ずれ方向で位置決めするステップであって、ずれ方向が運動方向と実質的に平行である、位置決めするステップとを含む。
【０００７】
[0006]別の実施形態では、関心領域を位置決めするステップは、動きが検出されるときに、関心領域を、画像の中心から測定されるずれ距離で位置決めするステップであって、ずれ距離が速度に比例する、位置決めするステップを含む。
【０００８】
[0007]実施形態では、方法は、光源を用意するステップと、光源を、光を視野方向で方向設定するように構成するステップと、光源を、選択的に非活動化状態および活動化状態の１つであるように構成するステップと、光源を、動きが検出されるときに活動化するステップとを含む。
【０００９】
[0008]別の実施形態では、方法は、光源を用意するステップと、光源を、光を視野方向で方向設定するように構成するステップと、光源を、選択的に非活動化状態および活動化状態の１つであるように構成するステップと、光源を、動きが検出されるときに活動化するステップとを含む。
【００１０】
[0009]別の実施形態では、方法は、光源を用意するステップと、光源を、光を視野方向で方向設定するように構成するステップと、光源を、選択的に非活動化状態および活動化状態の１つであるように構成するステップと、光源を、動きが検出されるときに活動化するステップとを含む。
【００１１】
[0010]実施形態では、方法は、画像センサとスキャン可能な対象との間の距離に対応する撮像距離を規定するステップと、画像センサに対する露出時間を規定するステップと、露出時間および撮像距離に基づいて速度を推定するステップとを含む。
【００１２】
[0011]別の実施形態では、方法は、画像センサとスキャン可能な対象との間の距離に対応する撮像距離を規定するステップと、画像センサに対する露出時間を規定するステップと、露出時間および撮像距離に基づいて速度を推定するステップとを含む。
【００１３】
[0012]別の実施形態では、方法は、画像センサとスキャン可能な対象との間の距離に対応する撮像距離を規定するステップと、画像センサに対する露出時間を規定するステップと、露出時間および撮像距離に基づいて速度を推定するステップとを含む。
【００１４】
[0013]実施形態では、方法は、画像センサに対するゲインおよび露出時間をセットするステップと、動きが検出されるときに、ゲインを増大すること、または、露出時間を低下させることのいずれかを行うステップとを含む。
【００１５】
[0014]別の実施形態では、方法は、画像センサに対するゲインおよび露出時間をセットするステップと、動きが検出されるときに、ゲインを増大すること、または、露出時間を低下させることのいずれかを行うステップとを含む。
【００１６】
[0015]実施形態では、方法は、画像センサに対するゲインおよび露出時間をセットするステップと、動きが検出されるときに、ゲインを増大すること、または、露出時間を低下させることのいずれかを行うステップとを含む。
【００１７】
[0016]実施形態では、動きを検知するステップは、スキャン可能な対象の少なくとも２つの画像を捕捉するステップであって、少なくとも２つの画像が時間間隔により隔てられる、捕捉するステップと、運動方向および速度を、スキャン可能な対象により少なくとも２つの画像間で移動される距離を測定することにより決定するステップとを含む。
【００１８】
[0017]実施形態では、動きを検知するステップは、スキャン可能な対象の少なくとも２つの画像を捕捉するステップであって、少なくとも２つの画像が時間間隔により隔てられる、捕捉するステップと、運動方向および速度を、スキャン可能な対象により少なくとも２つの画像間で移動される距離を測定することにより決定するステップとを含む。
【００１９】
[0018]実施形態では、動きを検知するステップは、スキャン可能な対象の少なくとも２つの画像を捕捉するステップであって、少なくとも２つの画像が時間間隔により隔てられる、捕捉するステップと、運動方向および速度を、スキャン可能な対象により少なくとも２つの画像間で移動される距離を測定することにより決定するステップとを含む。
【００２０】
[0019]実施形態では、動きを検知するステップは、スキャン可能な対象の少なくとも画像を捕捉するステップと、運動方向および速度を、画像内のスキャン可能な対象のぼけた区域を測定することにより決定するステップとを含む。
【００２１】
[0020]別の実施形態では、動きを検知するステップは、スキャン可能な対象の少なくとも画像を捕捉するステップと、運動方向および速度を、画像内のスキャン可能な対象のぼけた区域を測定することにより決定するステップとを含む。
【００２２】
[0021]別の実施形態では、動きを検知するステップは、スキャン可能な対象の少なくとも画像を捕捉するステップと、運動方向および速度を、画像内のスキャン可能な対象のぼけた区域を測定することにより決定するステップとを含む。
【００２３】
[0022]本発明は次に、例によって、その付随する図を参照して説明される。
【図面の簡単な説明】
【００２４】
【図１】スキャナーシステムの概略的な線図である。
【図２】画像の内部の関心領域の位置を予測するための方法のフローチャートである。
【図３】画像センサおよびスキャン可能な対象の概略的な視図である。
【図４】動きがシステムにより検出されないときの関心領域の位置の概略的な視図である。
【図５】第１の速度が検出されるときの図４の概略的な視図である。
【図６】第２の速度が検出されるときの図４の概略的な視図である。
【図７】第３の速度が検出されるときの図４の概略的な視図である。
【発明を実施するための形態】
【００２５】
[0023]加速度に基づく動き許容および予測符号化方法１０が、図１〜図７に示される実施形態を参照して説明される。以後本明細書で、より十分に説明されるように、加速度に基づく動き許容および予測符号化方法１０によって、ユーザは、スキャナーをより急速および効率的に動作させて、コードをスキャンすることが可能となる。
【００２６】
[0024]以下の開示は、スキャン可能な対象の画像の内部の関心領域の位置を予測するためのシステムおよび方法を提供する。この加速度に基づく動き許容および予測符号化方法およびシステムは、特に、当業者に知られているバーコードおよび他の復号可能な証印を、位置決めおよびスキャンするために有用であるが、方法およびシステムはさらには、他の対象をスキャンするために有用である。例えば本発明は、対象位置決め、顔認識、および、画像処理の他の用途に適用され得る。
【００２７】
[0025]例示的な実施形態では、スキャナー１２はハウジング１４を有し、そのハウジング１４は、プロセッサ１６、メモリ構成要素１８、電源２０、画像センサ２２、光源２４、および、動きセンサ２６を含む電子構成要素を支持する。これらの電子構成要素は全体的には、図１に示されるように互いに接続される。実施形態では、メモリ構成要素１８、電源２０、画像センサ２２、光源２４、および、動きセンサ２６は、構成要素の各々を制御するプロセッサ１６に通信可能に結合される。
【００２８】
[0026]図２に示される実施形態では、加速度に基づく動き許容および予測符号化方法１０は、１００での、ユーザがスキャナー１２を活動化するステップを含み、バーコードまたは他の復号可能な証印などの、スキャン可能な特徴を有するスキャン可能な対象が、１１０で、ユーザに提供される。ユーザは、１２０で、スキャナー１２をバーコードの方に動かす、または方向設定する。スキャナー１２は、１３０で、スキャン可能な対象に関するスキャナー１２の相対的な速度および方向を検出する。動きが検出されるかどうかに基づいて、プロセッサ１６は、アルゴリズムを使用して、異なる画像コード探索手順を実行する。動きが検出されないときに、方法はブロック１４０に進み、プロセッサ１６は、コードに対する探索を、画像の中心で始めるように命令する。動きが検出されるときに、方法はブロック１５０に進み、プロセッサ１６は、コードに対する探索を、画像のある領域で始めるように命令するものであり、その領域の位置は、スキャナー１２の速度の絶対値および方向に対応するものである。
【００２９】
[0027]バーコードの位置を予測するために、方法１０は、捕捉される画像内の復号中心の座標（または関心領域）を、スキャナーハウジングの現在の運動の方向で偏移させるものであり、関心領域が偏移させられる程度は、速度に比例する。したがって、ユーザがスキャナー１２を急速に右に動かしている場合、方法１０は、復号器に、捕捉される画像の右縁部を最初に探索することを指図するステップを含む。ユーザがスキャナー１２を緩やかに右に動かしている場合、復号は、捕捉される画像の右半分を最初に探索する。
【００３０】
[0028]次いで、動きが検出される間、プロセッサ１６は、照明（フラッシュＬＥＤ）、ゲイン、および、露出のセッティングを調整する。ステップ１４０および１６０の両方の後、プロセッサ１６は、スキャナー１２の動きを検知し続ける。このことによってユーザは、多重のスキャン可能な対象を順次スキャンすることが可能となる。例えばユーザは、スキャナー１２を第１の対象の方に動かし、第１の対象上の第１のコードをスキャンし、次いで、スキャナー１２を第２の対象の方に動かし、第２の対象上の第２のコードをスキャンすることが可能である。方法のステップは、下記でより詳細に説明される。
【００３１】
[0029]図３に示される実施形態では、ユーザは、スキャナー１２の画像センサ２２を、スキャン可能な対象１３の方に方向設定する。ユーザは、画像センサ２２を活動化し、スキャナー１２を動かし、そのことによって、動きセンサ２６は運動を検知するものであり、画像センサ２２は、視野方向Ａで、スキャン可能な対象１３上のスキャン可能な表面１１の方に位置決めされて向いている。撮像面Ｐは、視野方向Ａと直交する。画像センサ２２は、縁部Ｃにより境界を画される視野区域Ｂを視野とする。
【００３２】
[0030]スキャナー１２の画像センサ２２が活動化される間、スキャナー１２の動きセンサ２６は、スキャン可能な対象に相対的なスキャナー１２の動きを検知する。図３に示される実施形態では、センサ２２は速度成分ＶＳを有し、スキャン可能な対象１３は速度成分ＶＯを有する。これらの速度成分は、撮像面Ｐと平行である。スキャナー１２は、スキャン可能な対象１３に関する画像センサ２２の相対的な速度を検出するように構成され得る。
【００３３】
[0031]スキャナー１２は、プロセッサ１６に接続され、スキャナーハウジング１４に固定される、専用の動きセンサ２６を含み得る。動きセンサ２６は、動きセンサ面の内部のスキャナーハウジング１４の動きを検出するように構成される。動きセンサ面は、撮像面Ｐと実質的に平行であり、視野方向Ａと実質的に直交する。
【００３４】
[0032]動き検知のステップが、動きデータを生み出すものであり、その動きデータは、動きセンサ２６により捕捉され、プロセッサ１６に出力される。動きデータは、速度および運動方向データを含み、運動方向は速度に対応する。
【００３５】
[0033]図４〜図７に示されるように、速度および運動方向が知られると、関心領域３０が、画像センサ２２により捕捉される画像３２内で識別される。関心領域３０は、プロセッサ１６が、スキャン可能なコードが位置決めされるであろうということを予測する領域であり、したがって、プロセッサ１６が、復号アルゴリズムを実行することを始めるべきである画像の領域である。関心領域３０の位置は、速度および運動方向データに応答して規定される。
【００３６】
[0034]関心領域３０が規定されると、捕捉される画像３２（その外側の境界により図４〜図７に示されている画像）をスキャンまたは復号するプロセスが、関心領域３０で始まる。
【００３７】
[0035]図４〜図７は、様々な運動条件に対する画像上の関心領域３０の位置を示す。関心領域３０は、図４〜図７では単に図解の目的で円形領域として示される。他の実施形態では関心領域３０は、画像の四分区間、半分、または、任意の他の所定の一部分であり得る。さらなる実施形態では関心領域３０は、正方形、三角形、多角形、卵形、または、別の幾何学的形状であり得る。
【００３８】
[0036]図４に示される実施形態では、動きが検出されないときに、関心領域３０は、捕捉される画像３２の中心で位置決めされる。動きが検出されるときに、関心領域３０は、捕捉される画像の中心からの、および、捕捉される画像３２の縁部の方への、ずれ方向で位置決めされる。関心領域のずれ方向は、スキャナー１２の運動方向と実質的に平行であり、または、実質的に類似する。例えば図５の実施形態に示されるように、スキャナー１２が上方および右に動かされているならば、関心領域３０は、視野領域の一部分に対応する画像の一部分に、すなわち、上方および右にずらされる。したがって図５の実施形態では、関心領域３０は、画像の中心３６から離れて、および、画像の右上隅３８の方に偏移させられるものであり、その場合このずれ方向は、スキャン可能な対象に相対的な、スキャナーハウジングの相対的な速度Ｖ１に対応する。
【００３９】
[0037]関心領域３０は、捕捉される画像３２の一般的な四分区間にずらされ得る。あるいは、動きが検出されるときに、プロセッサ１６は、関心領域３０を、原点から測定されるずれ距離で位置決めし得るものであり、ずれ距離はスキャナー１２の速度に比例する。例えばずれ距離は、第１の速度に対して、第１の速度の半分の大きさである第２の速度に対してのものとなるものの２倍の大きさとなる。しきい値速度を超えると、ずれ距離は増大しないことになるものであり、しきい値速度は、ずれ距離が、関心領域３０を、捕捉される画像３２の縁部で位置決めすることを引き起こす速度に対応するものである。
【００４０】
[0038]図６および図７は、図６では速度Ｖ２、および、図７では速度Ｖ３に対する、関心領域３０のずれを示す。速度Ｖ２、Ｖ３の両方は、実質的に右へのものであり、Ｖ３はＶ２より大きな絶対値を有する。Ｖ３は、スキャン可能な対象に相対的なスキャナーハウジングのより大きな速度に対応するので、方法は、関心領域３０を、その方法が速度Ｖ２に応答して行うよりさらに右にずらす。図６は、右にずらされる関心領域３０を示す。図７は、さらに右にずらされる関心領域を示すものであり、そのことによってその関心領域は、画像の右縁部４０に近接している。
【００４１】
[0039]光源２４は、プロセッサ１６に通信可能に接続され、ハウジング１４に固定される。光源２４は、光を視野方向Ａで、および、視野方向Ａに沿って方向設定するように構成される。光源２４は、非活動化状態と活動化状態との間で選択的に切り替えられ得る。活動化状態では、光源２４は光を提供する。非活動化状態では、光源２４は光を提供しない。実施形態では光源２４は、１つまたは複数の中間状態を有し得るものであり、それらの中間状態で光源２４は、１つまたは複数のそれぞれの中間レベルの光を提供する。光源２４は、動きが動きセンサ２６により検出されるときに活動化される。実施形態では光源２４は、発光ダイオード（ＬＥＤ）である。別の実施形態では光源２４は、当業者に知られている任意の通常の光生成デバイスである。
【００４２】
[0040]実施形態では、スキャン可能な対象に相対的なスキャナー１２の速度は、画像センサ２２とスキャン可能な対象１３との間の距離に対応する撮像距離値を規定し、画像センサ２２に対する露出時間を規定し、捕捉される画像３２内のぼけを検出することにより、算出または推定され得る。画像センサ２２は、スキャン可能な対象の少なくとも１つの画像３２を捕捉する。プロセッサ１６は、捕捉される画像３２内のスキャン可能な対象のぼけた区域を測定する画像処理アルゴリズムを実行する。所与の撮像距離、および、所与の露出時間に対するぼけた区域の増大は、スキャン可能な対象に相対的なスキャナー１２の速度の増大に対応する。
【００４３】
[0041]画像センサ２２のゲインおよび露出時間は、検出される速度に基づいて適切なレベルにセットされる。速度の絶対値が大きいならば、０速度値に相対的に、ゲインは増大され、露出時間は減少される。
【００４４】
[0042]成功裏の復号の公算を増大するために、方法１０は随意には、スキャニングシステムに適用される、ゲイン、露出、および、照射のレベルを調整するステップを含む。例えば、高い度合の動きが検出されるならば、高い度合の照射、高い度合のゲイン、および、低い露出時間がシステムに適用され得る。実施形態ではこれらのセッティングは、検出される動きの量に線形に比例して適用される。別の実施形態ではこれらのセッティングは、両方向で重み付けされるものであり、その場合システムは、線形関数が定めることになるより多く（または少なく）積極的であるように構成され得る。この指数関数的な手法は、動きのこの上ないわずかな兆候に関しても、動き許容を急速に増やすために有用であり得る。
【００４５】
[0043]動きは、様々な方途で動きセンサ２６により検出され得る。実施形態では動きセンサ２６は、スキャナーハウジングに固定される加速度計である。スマートフォンおよびＰＤＴ上で実行する、ＳｗｉｆｔＭｏｂｉｌｅなどのバーコード復号ソフトウェアは、復号器またはソフトウェア開発キット（ＳＤＫ）により使用され得る内蔵加速度計を用いる。ハンドヘルドスキャナーでは、加速度計または別の動きセンサをデバイスに追加することなどの、多重の選択肢が存在する。
【００４６】
[0044]ハンドヘルドスキャナーに対する他の選択肢は、動きの形跡を求めて画像を調査することである。スキャナー１２は、捕捉される画像３２の内部の対象を検出し、それらの対象の運動を多重の画像にわたって追跡し得る。この情報に基づいて、運動方向および加速度が、対象に対して決定され得る。例えば実施形態では画像センサ２２は、スキャン可能な対象の少なくとも２つの画像を捕捉し、画像は、異なる時間に捕捉され、そのことによって、２つの画像が捕捉される時間の間に経過する時間間隔が存在する。スキャン可能な対象の場所が、２つの画像間で比較される。速度は、対象により２つの画像間で移動される距離、および、２つの画像間の時間経過の両方を使用して算出され得る。
【００４７】
[0045]加えて、画像を使用することにより、プロセッサ１６は、捕捉される画像３２内のぼけを検査することにより動きを検出するアルゴリズムを実行し得る。露出時間を使用し、カメラからの距離を推測することにより、速度は、上記で説明された分析を遂行して推定され得る。
【００４８】
[0046]実施形態では、上記で開示された方法１０によって、スキャナー１２は、画像の内部のバーコードの位置を予測することが可能となり、そのためスキャナー１２は、バーコードをより急速に探知および復号することが可能である。加えてスキャナー１２は、動きを選択的に検出し、必要とされるときに動きを確認し、そのことにより、高い動き許容を実現し、一方で、電力消費を節約することが可能である。したがってバッテリ寿命は、スマートフォンまたは他のパーソナル電子デバイスなどのポータブルスキャナー１２に対して延長され得る。
【００４９】
[0047]本開示を補足するために、本出願は、全体的に参照により、以下の本発明の譲受人に譲渡された特許、特許出願公報、および、特許出願を組み込む。
[0048]
Ｕ．Ｓ．  特許  Ｎｏ．  ６，８３２，７２５；  Ｕ．Ｓ．  特許  Ｎｏ．  ７，１２８，２６６；
Ｕ．Ｓ．  特許  Ｎｏ．  ７，１５９，７８３；  Ｕ．Ｓ．  特許  Ｎｏ．  ７，４１３，１２７；
Ｕ．Ｓ．  特許  Ｎｏ．  ７，７２６，５７５；  Ｕ．Ｓ．  特許  Ｎｏ．  ８，２９４，９６９；
Ｕ．Ｓ．  特許  Ｎｏ．  ８，３１７，１０５；  Ｕ．Ｓ．  特許  Ｎｏ．  ８，３２２，６２２；
Ｕ．Ｓ．  特許  Ｎｏ．  ８，３６６，００５；  Ｕ．Ｓ．  特許  Ｎｏ．  ８，３７１，５０７；
Ｕ．Ｓ．  特許  Ｎｏ．  ８，３７６，２３３；  Ｕ．Ｓ．  特許  Ｎｏ．  ８，３８１，９７９；
Ｕ．Ｓ．  特許  Ｎｏ．  ８，３９０，９０９；  Ｕ．Ｓ．  特許  Ｎｏ．  ８，４０８，４６４；
Ｕ．Ｓ．  特許  Ｎｏ．  ８，４０８，４６８；  Ｕ．Ｓ．  特許  Ｎｏ．  ８，４０８，４６９；
Ｕ．Ｓ．  特許  Ｎｏ．  ８，４２４，７６８；  Ｕ．Ｓ．  特許  Ｎｏ．  ８，４４８，８６３；
Ｕ．Ｓ．  特許  Ｎｏ．  ８，４５７，０１３；  Ｕ．Ｓ．  特許  Ｎｏ．  ８，４５９，５５７；
Ｕ．Ｓ．  特許  Ｎｏ．  ８，４６９，２７２；  Ｕ．Ｓ．  特許  Ｎｏ．  ８，４７４，７１２；
Ｕ．Ｓ．  特許  Ｎｏ．  ８，４７９，９９２；  Ｕ．Ｓ．  特許  Ｎｏ．  ８，４９０，８７７；
Ｕ．Ｓ．  特許  Ｎｏ．  ８，５１７，２７１；  Ｕ．Ｓ．  特許  Ｎｏ．  ８，５２３，０７６；
Ｕ．Ｓ．  特許  Ｎｏ．  ８，５２８，８１８；  Ｕ．Ｓ．  特許  Ｎｏ．  ８，５４４，７３７；
Ｕ．Ｓ．  特許  Ｎｏ．  ８，５４８，２４２；  Ｕ．Ｓ．  特許  Ｎｏ．  ８，５４８，４２０；
Ｕ．Ｓ．  特許  Ｎｏ．  ８，５５０，３３５；  Ｕ．Ｓ．  特許  Ｎｏ．  ８，５５０，３５４；
Ｕ．Ｓ．  特許  Ｎｏ．  ８，５５０，３５７；  Ｕ．Ｓ．  特許  Ｎｏ．  ８，５５６，１７４；
Ｕ．Ｓ．  特許  Ｎｏ．  ８，５５６，１７６；  Ｕ．Ｓ．  特許  Ｎｏ．  ８，５５６，１７７；
Ｕ．Ｓ．  特許  Ｎｏ．  ８，５５９，７６７；  Ｕ．Ｓ．  特許  Ｎｏ．  ８，５９９，９５７；
Ｕ．Ｓ．  特許  Ｎｏ．  ８，５６１，８９５；  Ｕ．Ｓ．  特許  Ｎｏ．  ８，５６１，９０３；
Ｕ．Ｓ．  特許  Ｎｏ．  ８，５６１，９０５；  Ｕ．Ｓ．  特許  Ｎｏ．  ８，５６５，１０７；
Ｕ．Ｓ．  特許  Ｎｏ．  ８，５７１，３０７；  Ｕ．Ｓ．  特許  Ｎｏ．  ８，５７９，２００；
Ｕ．Ｓ．  特許  Ｎｏ．  ８，５８３，９２４；  Ｕ．Ｓ．  特許  Ｎｏ．  ８，５８４，９４５；
Ｕ．Ｓ．  特許  Ｎｏ．  ８，５８７，５９５；  Ｕ．Ｓ．  特許  Ｎｏ．  ８，５８７，６９７；
Ｕ．Ｓ．  特許  Ｎｏ．  ８，５８８，８６９；  Ｕ．Ｓ．  特許  Ｎｏ．  ８，５９０，７８９；
Ｕ．Ｓ．  特許  Ｎｏ．  ８，５９６，５３９；  Ｕ．Ｓ．  特許  Ｎｏ．  ８，５９６，５４２；
Ｕ．Ｓ．  特許  Ｎｏ．  ８，５９６，５４３；  Ｕ．Ｓ．  特許  Ｎｏ．  ８，５９９，２７１；
Ｕ．Ｓ．  特許  Ｎｏ．  ８，５９９，９５７；  Ｕ．Ｓ．  特許  Ｎｏ．  ８，６００，１５８；
Ｕ．Ｓ．  特許  Ｎｏ．  ８，６００，１６７；  Ｕ．Ｓ．  特許  Ｎｏ．  ８，６０２，３０９；
Ｕ．Ｓ．  特許  Ｎｏ．  ８，６０８，０５３；  Ｕ．Ｓ．  特許  Ｎｏ．  ８，６０８，０７１；
Ｕ．Ｓ．  特許  Ｎｏ．  ８，６１１，３０９；  Ｕ．Ｓ．  特許  Ｎｏ．  ８，６１５，４８７；
Ｕ．Ｓ．  特許  Ｎｏ．  ８，６１６，４５４；  Ｕ．Ｓ．  特許  Ｎｏ．  ８，６２１，１２３；
Ｕ．Ｓ．  特許  Ｎｏ．  ８，６２２，３０３；  Ｕ．Ｓ．  特許  Ｎｏ．  ８，６２８，０１３；
Ｕ．Ｓ．  特許  Ｎｏ．  ８，６２８，０１５；  Ｕ．Ｓ．  特許  Ｎｏ．  ８，６２８，０１６；
Ｕ．Ｓ．  特許  Ｎｏ．  ８，６２９，９２６；  Ｕ．Ｓ．  特許  Ｎｏ．  ８，６３０，４９１；
Ｕ．Ｓ．  特許  Ｎｏ．  ８，６３５，３０９；  Ｕ．Ｓ．  特許  Ｎｏ．  ８，６３６，２００；
Ｕ．Ｓ．  特許  Ｎｏ．  ８，６３６，２１２；  Ｕ．Ｓ．  特許  Ｎｏ．  ８，６３６，２１５；
Ｕ．Ｓ．  特許  Ｎｏ．  ８，６３６，２２４；  Ｕ．Ｓ．  特許  Ｎｏ．  ８，６３８，８０６；
Ｕ．Ｓ．  特許  Ｎｏ．  ８，６４０，９５８；  Ｕ．Ｓ．  特許  Ｎｏ．  ８，６４０，９６０；
Ｕ．Ｓ．  特許  Ｎｏ．  ８，６４３，７１７；  Ｕ．Ｓ．  特許  Ｎｏ．  ８，６４６，６９２；
Ｕ．Ｓ．  特許  Ｎｏ．  ８，６４６，６９４；  Ｕ．Ｓ．  特許  Ｎｏ．  ８，６５７，２００；
Ｕ．Ｓ．  特許  Ｎｏ．  ８，６５９，３９７；  Ｕ．Ｓ．  特許  Ｎｏ．  ８，６６８，１４９；
Ｕ．Ｓ．  特許  Ｎｏ．  ８，６７８，２８５；  Ｕ．Ｓ．  特許  Ｎｏ．  ８，６７８，２８６；
Ｕ．Ｓ．  特許  Ｎｏ．  ８，６８２，０７７；  Ｕ．Ｓ．  特許  Ｎｏ．  ８，６８７，２８２；
Ｕ．Ｓ．  特許  Ｎｏ．  ８，６９２，９２７；  Ｕ．Ｓ．  特許  Ｎｏ．  ８，６９５，８８０；
Ｕ．Ｓ．  特許  Ｎｏ．  ８，６９８，９４９；  Ｕ．Ｓ．  特許  Ｎｏ．  ８，７１７，４９４；
Ｕ．Ｓ．  特許  Ｎｏ．  ８，７１７，４９４；  Ｕ．Ｓ．  特許  Ｎｏ．  ８，７２０，７８３；
Ｕ．Ｓ．  特許  Ｎｏ．  ８，７２３，８０４；  Ｕ．Ｓ．  特許  Ｎｏ．  ８，７２３，９０４；
Ｕ．Ｓ．  特許  Ｎｏ．  ８，７２７，２２３；  Ｕ．Ｓ．  特許  Ｎｏ．  Ｄ７０２，２３７；
Ｕ．Ｓ．  特許  Ｎｏ．  ８，７４０，０８２；  Ｕ．Ｓ．  特許  Ｎｏ．  ８，７４０，０８５；
Ｕ．Ｓ．  特許  Ｎｏ．  ８，７４６，５６３；  Ｕ．Ｓ．  特許  Ｎｏ．  ８，７５０，４４５；
Ｕ．Ｓ．  特許  Ｎｏ．  ８，７５２，７６６；  Ｕ．Ｓ．  特許  Ｎｏ．  ８，７５６，０５９；
Ｕ．Ｓ．  特許  Ｎｏ．  ８，７５７，４９５；  Ｕ．Ｓ．  特許  Ｎｏ．  ８，７６０，５６３；
Ｕ．Ｓ．  特許  Ｎｏ．  ８，７６３，９０９；  Ｕ．Ｓ．  特許  Ｎｏ．  ８，７７７，１０８；
Ｕ．Ｓ．  特許  Ｎｏ．  ８，７７７，１０９；  Ｕ．Ｓ．  特許  Ｎｏ．  ８，７７９，８９８；
Ｕ．Ｓ．  特許  Ｎｏ．  ８，７８１，５２０；  Ｕ．Ｓ．  特許  Ｎｏ．  ８，７８３，５７３；
Ｕ．Ｓ．  特許  Ｎｏ．  ８，７８９，７５７；  Ｕ．Ｓ．  特許  Ｎｏ．  ８，７８９，７５８；
Ｕ．Ｓ．  特許  Ｎｏ．  ８，７８９，７５９；  Ｕ．Ｓ．  特許  Ｎｏ．  ８，７９４，５２０；
Ｕ．Ｓ．  特許  Ｎｏ．  ８，７９４，５２２；  Ｕ．Ｓ．  特許  Ｎｏ．  ８，７９４，５２５；
Ｕ．Ｓ．  特許  Ｎｏ．  ８，７９４，５２６；  Ｕ．Ｓ．  特許  Ｎｏ．  ８，７９８，３６７；
Ｕ．Ｓ．  特許  Ｎｏ．  ８，８０７，４３１；  Ｕ．Ｓ．  特許  Ｎｏ．  ８，８０７，４３２；
Ｕ．Ｓ．  特許  Ｎｏ．  ８，８２０，６３０；  Ｕ．Ｓ．  特許  Ｎｏ．  ８，８２２，８４８；
Ｕ．Ｓ．  特許  Ｎｏ．  ８，８２４，６９２；  Ｕ．Ｓ．  特許  Ｎｏ．  ８，８２４，６９６；
Ｕ．Ｓ．  特許  Ｎｏ．  ８，８４２，８４９；  Ｕ．Ｓ．  特許  Ｎｏ．  ８，８４４，８２２；
Ｕ．Ｓ．  特許  Ｎｏ．  ８，８４４，８２３；  Ｕ．Ｓ．  特許  Ｎｏ．  ８，８４９，０１９；
Ｕ．Ｓ．  特許  Ｎｏ．  ８，８５１，３８３；  Ｕ．Ｓ．  特許  Ｎｏ．  ８，８５４，６３３；
Ｕ．Ｓ．  特許  Ｎｏ．  ８，８６６，９６３；  Ｕ．Ｓ．  特許  Ｎｏ．  ８，８６８，４２１；
Ｕ．Ｓ．  特許  Ｎｏ．  ８，８６８，５１９；  Ｕ．Ｓ．  特許  Ｎｏ．  ８，８６８，８０２；
Ｕ．Ｓ．  特許  Ｎｏ．  ８，８６８，８０３；  Ｕ．Ｓ．  特許  Ｎｏ．  ８，８７０，０７４；
Ｕ．Ｓ．  特許  Ｎｏ．  ８，８７９，６３９；  Ｕ．Ｓ．  特許  Ｎｏ．  ８，８８０，４２６；
Ｕ．Ｓ．  特許  Ｎｏ．  ８，８８１，９８３；  Ｕ．Ｓ．  特許  Ｎｏ．  ８，８８１，９８７；
Ｕ．Ｓ．  特許  Ｎｏ．  ８，９０３，１７２；  Ｕ．Ｓ．  特許  Ｎｏ．  ８，９０８，９９５；
Ｕ．Ｓ．  特許  Ｎｏ．  ８，９１０，８７０；  Ｕ．Ｓ．  特許  Ｎｏ．  ８，９１０，８７５；
Ｕ．Ｓ．  特許  Ｎｏ．  ８，９１４，２９０；  Ｕ．Ｓ．  特許  Ｎｏ．  ８，９１４，７８８；
Ｕ．Ｓ．  特許  Ｎｏ．  ８，９１５，４３９；  Ｕ．Ｓ．  特許  Ｎｏ．  ８，９１５，４４４；
Ｕ．Ｓ．  特許  Ｎｏ．  ８，９１６，７８９；  Ｕ．Ｓ．  特許  Ｎｏ．  ８，９１８，２５０；
Ｕ．Ｓ．  特許  Ｎｏ．  ８，９１８，５６４；  Ｕ．Ｓ．  特許  Ｎｏ．  ８，９２５，８１８；
Ｕ．Ｓ．  特許  Ｎｏ．  ８，９３９，３７４；  Ｕ．Ｓ．  特許  Ｎｏ．  ８，９４２，４８０；
Ｕ．Ｓ．  特許  Ｎｏ．  ８，９４４，３１３；  Ｕ．Ｓ．  特許  Ｎｏ．  ８，９４４，３２７；
Ｕ．Ｓ．  特許  Ｎｏ．  ８，９４４，３３２；  Ｕ．Ｓ．  特許  Ｎｏ．  ８，９５０，６７８；
Ｕ．Ｓ．  特許  Ｎｏ．  ８，９６７，４６８；  Ｕ．Ｓ．  特許  Ｎｏ．  ８，９７１，３４６；
Ｕ．Ｓ．  特許  Ｎｏ．  ８，９７６，０３０；  Ｕ．Ｓ．  特許  Ｎｏ．  ８，９７６，３６８；
Ｕ．Ｓ．  特許  Ｎｏ．  ８，９７８，９８１；  Ｕ．Ｓ．  特許  Ｎｏ．  ８，９７８，９８３；
Ｕ．Ｓ．  特許  Ｎｏ．  ８，９７８，９８４；  Ｕ．Ｓ．  特許  Ｎｏ．  ８，９８５，４５６；
Ｕ．Ｓ．  特許  Ｎｏ．  ８，９８５，４５７；  Ｕ．Ｓ．  特許  Ｎｏ．  ８，９８５，４５９；
Ｕ．Ｓ．  特許  Ｎｏ．  ８，９８５，４６１；  Ｕ．Ｓ．  特許  Ｎｏ．  ８，９８８，５７８；
Ｕ．Ｓ．  特許  Ｎｏ．  ８，９８８，５９０；  Ｕ．Ｓ．  特許  Ｎｏ．  ８，９９１，７０４；
Ｕ．Ｓ．  特許  Ｎｏ．  ８，９９６，１９４；  Ｕ．Ｓ．  特許  Ｎｏ．  ８，９９６，３８４；
Ｕ．Ｓ．  特許  Ｎｏ．  ９，００２，６４１；  Ｕ．Ｓ．  特許  Ｎｏ．  ９，００７，３６８；
Ｕ．Ｓ．  特許  Ｎｏ．  ９，０１０，６４１；  Ｕ．Ｓ．  特許  Ｎｏ．  ９，０１５，５１３；
Ｕ．Ｓ．  特許  Ｎｏ．  ９，０１６，５７６；  Ｕ．Ｓ．  特許  Ｎｏ．  ９，０２２，２８８；
Ｕ．Ｓ．  特許  Ｎｏ．  ９，０３０，９６４；  Ｕ．Ｓ．  特許  Ｎｏ．  ９，０３３，２４０；
Ｕ．Ｓ．  特許  Ｎｏ．  ９，０３３，２４２；  Ｕ．Ｓ．  特許  Ｎｏ．  ９，０３６，０５４；
Ｕ．Ｓ．  特許  Ｎｏ．  ９，０３７，３４４；  Ｕ．Ｓ．  特許  Ｎｏ．  ９，０３８，９１１；
Ｕ．Ｓ．  特許  Ｎｏ．  ９，０３８，９１５；  Ｕ．Ｓ．  特許  Ｎｏ．  ９，０４７，０９８；
Ｕ．Ｓ．  特許  Ｎｏ．  ９，０４７，３５９；  Ｕ．Ｓ．  特許  Ｎｏ．  ９，０４７，４２０；
Ｕ．Ｓ．  特許  Ｎｏ．  ９，０４７，５２５；  Ｕ．Ｓ．  特許  Ｎｏ．  ９，０４７，５３１；
Ｕ．Ｓ．  特許  Ｎｏ．  ９，０５３，０５５；  Ｕ．Ｓ．  特許  Ｎｏ．  ９，０５３，３７８；
Ｕ．Ｓ．  特許  Ｎｏ．  ９，０５３，３８０；  Ｕ．Ｓ．  特許  Ｎｏ．  ９，０５８，５２６；
Ｕ．Ｓ．  特許  Ｎｏ．  ９，０６４，１６５；  Ｕ．Ｓ．  特許  Ｎｏ．  ９，０６４，１６７；
Ｕ．Ｓ．  特許  Ｎｏ．  ９，０６４，１６８；  Ｕ．Ｓ．  特許  Ｎｏ．  ９，０６４，２５４；
Ｕ．Ｓ．  特許  Ｎｏ．  ９，０６６，０３２；  Ｕ．Ｓ．  特許  Ｎｏ．  ９，０７０，０３２；
Ｕ．Ｓ．  意匠特許  Ｎｏ．  Ｄ７１６，２８５；
Ｕ．Ｓ．  意匠特許  Ｎｏ．  Ｄ７２３，５６０；
Ｕ．Ｓ．  意匠特許  Ｎｏ．  Ｄ７３０，３５７；
Ｕ．Ｓ．  意匠特許  Ｎｏ．  Ｄ７３０，９０１；
Ｕ．Ｓ．  意匠特許  Ｎｏ．  Ｄ７３０，９０２；
Ｕ．Ｓ．  意匠特許  Ｎｏ．  Ｄ７３３，１１２；
Ｕ．Ｓ．  意匠特許  Ｎｏ．  Ｄ７３４，３３９；
国際公開  Ｎｏ．  ２０１３／１６３７８９；
国際  公開  Ｎｏ．  ２０１３／１７３９８５；
国際  公開  Ｎｏ．  ２０１４／０１９１３０；
国際  公開  Ｎｏ．  ２０１４／１１０４９５；
Ｕ．Ｓ．  特許  出願  公開  Ｎｏ．  ２００８／０１８５４３２；
Ｕ．Ｓ．  特許  出願  公開  Ｎｏ．  ２００９／０１３４２２１；
Ｕ．Ｓ．  特許  出願  公開  Ｎｏ．  ２０１０／０１７７０８０；
Ｕ．Ｓ．  特許  出願  公開  Ｎｏ．  ２０１０／０１７７０７６；
Ｕ．Ｓ．  特許  出願  公開  Ｎｏ．  ２０１０／０１７７７０７；
Ｕ．Ｓ．  特許  出願  公開  Ｎｏ．  ２０１０／０１７７７４９；
Ｕ．Ｓ．  特許  出願  公開  Ｎｏ．  ２０１０／０２６５８８０；
Ｕ．Ｓ．  特許  出願  公開  Ｎｏ．  ２０１１／０２０２５５４；
Ｕ．Ｓ．  特許  出願  公開  Ｎｏ．  ２０１２／０１１１９４６；
Ｕ．Ｓ．  特許  出願  公開  Ｎｏ．  ２０１２／０１６８５１１；
Ｕ．Ｓ．  特許  出願  公開  Ｎｏ．  ２０１２／０１６８５１２；
Ｕ．Ｓ．  特許  出願  公開  Ｎｏ．  ２０１２／０１９３４２３；
Ｕ．Ｓ．  特許  出願  公開  Ｎｏ．  ２０１２／０２０３６４７；
Ｕ．Ｓ．  特許  出願  公開  Ｎｏ．  ２０１２／０２２３１４１；
Ｕ．Ｓ．  特許  出願  公開  Ｎｏ．  ２０１２／０２２８３８２；
Ｕ．Ｓ．  特許  出願  公開  Ｎｏ．  ２０１２／０２４８１８８；
Ｕ．Ｓ．  特許  出願  公開  Ｎｏ．  ２０１３／００４３３１２；
Ｕ．Ｓ．  特許  出願  公開  Ｎｏ．  ２０１３／００８２１０４；
Ｕ．Ｓ．  特許  出願  公開  Ｎｏ．  ２０１３／０１７５３４１；
Ｕ．Ｓ．  特許  出願  公開  Ｎｏ．  ２０１３／０１７５３４３；
Ｕ．Ｓ．  特許  出願  公開  Ｎｏ．  ２０１３／０２５７７４４；
Ｕ．Ｓ．  特許  出願  公開  Ｎｏ．  ２０１３／０２５７７５９；
Ｕ．Ｓ．  特許  出願  公開  Ｎｏ．  ２０１３／０２７０３４６；
Ｕ．Ｓ．  特許  出願  公開  Ｎｏ．  ２０１３／０２８７２５８；
Ｕ．Ｓ．  特許  出願  公開  Ｎｏ．  ２０１３／０２９２４７５；
Ｕ．Ｓ．  特許  出願  公開  Ｎｏ．  ２０１３／０２９２４７７；
Ｕ．Ｓ．  特許  出願  公開  Ｎｏ．  ２０１３／０２９３５３９；
Ｕ．Ｓ．  特許  出願  公開  Ｎｏ．  ２０１３／０２９３５４０；
Ｕ．Ｓ．  特許  出願  公開  Ｎｏ．  ２０１３／０３０６７２８；
Ｕ．Ｓ．  特許  出願  公開  Ｎｏ．  ２０１３／０３０６７３１；
Ｕ．Ｓ．  特許  出願  公開  Ｎｏ．  ２０１３／０３０７９６４；
Ｕ．Ｓ．  特許  出願  公開  Ｎｏ．  ２０１３／０３０８６２５；
Ｕ．Ｓ．  特許  出願  公開  Ｎｏ．  ２０１３／０３１３３２４；
Ｕ．Ｓ．  特許  出願  公開  Ｎｏ．  ２０１３／０３１３３２５；
Ｕ．Ｓ．  特許  出願  公開  Ｎｏ．  ２０１３／０３４２７１７；
Ｕ．Ｓ．  特許  出願  公開  Ｎｏ．  ２０１４／０００１２６７；
Ｕ．Ｓ．  特許  出願  公開  Ｎｏ．  ２０１４／０００８４３９；
Ｕ．Ｓ．  特許  出願  公開  Ｎｏ．  ２０１４／００２５５８４；
Ｕ．Ｓ．  特許  出願  公開  Ｎｏ．  ２０１４／００３４７３４；
Ｕ．Ｓ．  特許  出願  公開  Ｎｏ．  ２０１４／００３６８４８；
Ｕ．Ｓ．  特許  出願  公開  Ｎｏ．  ２０１４／００３９６９３；
Ｕ．Ｓ．  特許  出願  公開  Ｎｏ．  ２０１４／００４２８１４；
Ｕ．Ｓ．  特許  出願  公開  Ｎｏ．  ２０１４／００４９１２０；
Ｕ．Ｓ．  特許  出願  公開  Ｎｏ．  ２０１４／００４９６３５；
Ｕ．Ｓ．  特許  出願  公開  Ｎｏ．  ２０１４／００６１３０６；
Ｕ．Ｓ．  特許  出願  公開  Ｎｏ．  ２０１４／００６３２８９；
Ｕ．Ｓ．  特許  出願  公開  Ｎｏ．  ２０１４／００６６１３６；
Ｕ．Ｓ．  特許  出願  公開  Ｎｏ．  ２０１４／００６７６９２；
Ｕ．Ｓ．  特許  出願  公開  Ｎｏ．  ２０１４／００７０００５；
Ｕ．Ｓ．  特許  出願  公開  Ｎｏ．  ２０１４／００７１８４０；
Ｕ．Ｓ．  特許  出願  公開  Ｎｏ．  ２０１４／００７４７４６；
Ｕ．Ｓ．  特許  出願  公開  Ｎｏ．  ２０１４／００７６９７４；
Ｕ．Ｓ．  特許  出願  公開  Ｎｏ．  ２０１４／００７８３４１；
Ｕ．Ｓ．  特許  出願  公開  Ｎｏ．  ２０１４／００７８３４５；
Ｕ．Ｓ．  特許  出願  公開  Ｎｏ．  ２０１４／００９７２４９；
Ｕ．Ｓ．  特許  出願  公開  Ｎｏ．  ２０１４／００９８７９２；
Ｕ．Ｓ．  特許  出願  公開  Ｎｏ．  ２０１４／０１００８１３；
Ｕ．Ｓ．  特許  出願  公開  Ｎｏ．  ２０１４／０１０３１１５；
Ｕ．Ｓ．  特許  出願  公開  Ｎｏ．  ２０１４／０１０４４１３；
Ｕ．Ｓ．  特許  出願  公開  Ｎｏ．  ２０１４／０１０４４１４；
Ｕ．Ｓ．  特許  出願  公開  Ｎｏ．  ２０１４／０１０４４１６；
Ｕ．Ｓ．  特許  出願  公開  Ｎｏ．  ２０１４／０１０４４５１；
Ｕ．Ｓ．  特許  出願  公開  Ｎｏ．  ２０１４／０１０６５９４；
Ｕ．Ｓ．  特許  出願  公開  Ｎｏ．  ２０１４／０１０６７２５；
Ｕ．Ｓ．  特許  出願  公開  Ｎｏ．  ２０１４／０１０８０１０；
Ｕ．Ｓ．  特許  出願  公開  Ｎｏ．  ２０１４／０１０８４０２；
Ｕ．Ｓ．  特許  出願  公開  Ｎｏ．  ２０１４／０１１０４８５；
Ｕ．Ｓ．  特許  出願  公開  Ｎｏ．  ２０１４／０１１４５３０；
Ｕ．Ｓ．  特許  出願  公開  Ｎｏ．  ２０１４／０１２４５７７；
Ｕ．Ｓ．  特許  出願  公開  Ｎｏ．  ２０１４／０１２４５７９；
Ｕ．Ｓ．  特許  出願  公開  Ｎｏ．  ２０１４／０１２５８４２；
Ｕ．Ｓ．  特許  出願  公開  Ｎｏ．  ２０１４／０１２５８５３；
Ｕ．Ｓ．  特許  出願  公開  Ｎｏ．  ２０１４／０１２５９９９；
Ｕ．Ｓ．  特許  出願  公開  Ｎｏ．  ２０１４／０１２９３７８；
Ｕ．Ｓ．  特許  出願  公開  Ｎｏ．  ２０１４／０１３１４３８；
Ｕ．Ｓ．  特許  出願  公開  Ｎｏ．  ２０１４／０１３１４４１；
Ｕ．Ｓ．  特許  出願  公開  Ｎｏ．  ２０１４／０１３１４４３；
Ｕ．Ｓ．  特許  出願  公開  Ｎｏ．  ２０１４／０１３１４４４；
Ｕ．Ｓ．  特許  出願  公開  Ｎｏ．  ２０１４／０１３１４４５；
Ｕ．Ｓ．  特許  出願  公開  Ｎｏ．  ２０１４／０１３１４４８；
Ｕ．Ｓ．  特許  出願  公開  Ｎｏ．  ２０１４／０１３３３７９；
Ｕ．Ｓ．  特許  出願  公開  Ｎｏ．  ２０１４／０１３６２０８；
Ｕ．Ｓ．  特許  出願  公開  Ｎｏ．  ２０１４／０１４０５８５；
Ｕ．Ｓ．  特許  出願  公開  Ｎｏ．  ２０１４／０１５１４５３；
Ｕ．Ｓ．  特許  出願  公開  Ｎｏ．  ２０１４／０１５２８８２；
Ｕ．Ｓ．  特許  出願  公開  Ｎｏ．  ２０１４／０１５８７７０；
Ｕ．Ｓ．  特許  出願  公開  Ｎｏ．  ２０１４／０１５９８６９；
Ｕ．Ｓ．  特許  出願  公開  Ｎｏ．  ２０１４／０１６６７５５；
Ｕ．Ｓ．  特許  出願  公開  Ｎｏ．  ２０１４／０１６６７５９；
Ｕ．Ｓ．  特許  出願  公開  Ｎｏ．  ２０１４／０１６８７８７；
Ｕ．Ｓ．  特許  出願  公開  Ｎｏ．  ２０１４／０１７５１６５；
Ｕ．Ｓ．  特許  出願  公開  Ｎｏ．  ２０１４／０１７５１７２；
Ｕ．Ｓ．  特許  出願  公開  Ｎｏ．  ２０１４／０１９１６４４；
Ｕ．Ｓ．  特許  出願  公開  Ｎｏ．  ２０１４／０１９１９１３；
Ｕ．Ｓ．  特許  出願  公開  Ｎｏ．  ２０１４／０１９７２３８；
Ｕ．Ｓ．  特許  出願  公開  Ｎｏ．  ２０１４／０１９７２３９；
Ｕ．Ｓ．  特許  出願  公開  Ｎｏ．  ２０１４／０１９７３０４；
Ｕ．Ｓ．  特許  出願  公開  Ｎｏ．  ２０１４／０２１４６３１；
Ｕ．Ｓ．  特許  出願  公開  Ｎｏ．  ２０１４／０２１７１６６；
Ｕ．Ｓ．  特許  出願  公開  Ｎｏ．  ２０１４／０２１７１８０；
Ｕ．Ｓ．  特許  出願  公開  Ｎｏ．  ２０１４／０２３１５００；
Ｕ．Ｓ．  特許  出願  公開  Ｎｏ．  ２０１４／０２３２９３０；
Ｕ．Ｓ．  特許  出願  公開  Ｎｏ．  ２０１４／０２４７３１５；
Ｕ．Ｓ．  特許  出願  公開  Ｎｏ．  ２０１４／０２６３４９３；
Ｕ．Ｓ．  特許  出願  公開  Ｎｏ．  ２０１４／０２６３６４５；
Ｕ．Ｓ．  特許  出願  公開  Ｎｏ．  ２０１４／０２６７６０９；
Ｕ．Ｓ．  特許  出願  公開  Ｎｏ．  ２０１４／０２７０１９６；
Ｕ．Ｓ．  特許  出願  公開  Ｎｏ．  ２０１４／０２７０２２９；
Ｕ．Ｓ．  特許  出願  公開  Ｎｏ．  ２０１４／０２７８３８７；
Ｕ．Ｓ．  特許  出願  公開  Ｎｏ．  ２０１４／０２７８３９１；
Ｕ．Ｓ．  特許  出願  公開  Ｎｏ．  ２０１４／０２８２２１０；
Ｕ．Ｓ．  特許  出願  公開  Ｎｏ．  ２０１４／０２８４３８４；
Ｕ．Ｓ．  特許  出願  公開  Ｎｏ．  ２０１４／０２８８９３３；
Ｕ．Ｓ．  特許  出願  公開  Ｎｏ．  ２０１４／０２９７０５８；
Ｕ．Ｓ．  特許  出願  公開  Ｎｏ．  ２０１４／０２９９６６５；
Ｕ．Ｓ．  特許  出願  公開  Ｎｏ．  ２０１４／０３１２１２１；
Ｕ．Ｓ．  特許  出願  公開  Ｎｏ．  ２０１４／０３１９２２０；
Ｕ．Ｓ．  特許  出願  公開  Ｎｏ．  ２０１４／０３１９２２１；
Ｕ．Ｓ．  特許  出願  公開  Ｎｏ．  ２０１４／０３２６７８７；
Ｕ．Ｓ．  特許  出願  公開  Ｎｏ．  ２０１４／０３３２５９０；
Ｕ．Ｓ．  特許  出願  公開  Ｎｏ．  ２０１４／０３４４９４３；
Ｕ．Ｓ．  特許  出願  公開  Ｎｏ．  ２０１４／０３４６２３３；
Ｕ．Ｓ．  特許  出願  公開  Ｎｏ．  ２０１４／０３５１３１７；
Ｕ．Ｓ．  特許  出願  公開  Ｎｏ．  ２０１４／０３５３３７３；
Ｕ．Ｓ．  特許  出願  公開  Ｎｏ．  ２０１４／０３６１０７３；
Ｕ．Ｓ．  特許  出願  公開  Ｎｏ．  ２０１４／０３６１０８２；
Ｕ．Ｓ．  特許  出願  公開  Ｎｏ．  ２０１４／０３６２１８４；
Ｕ．Ｓ．  特許  出願  公開  Ｎｏ．  ２０１４／０３６３０１５；
Ｕ．Ｓ．  特許  出願  公開  Ｎｏ．  ２０１４／０３６９５１１；
Ｕ．Ｓ．  特許  出願  公開  Ｎｏ．  ２０１４／０３７４４８３；
Ｕ．Ｓ．  特許  出願  公開  Ｎｏ．  ２０１４／０３７４４８５；
Ｕ．Ｓ．  特許  出願  公開  Ｎｏ．  ２０１５／０００１３０１；
Ｕ．Ｓ．  特許  出願  公開  Ｎｏ．  ２０１５／０００１３０４；
Ｕ．Ｓ．  特許  出願  公開  Ｎｏ．  ２０１５／０００３６７３；
Ｕ．Ｓ．  特許  出願  公開  Ｎｏ．  ２０１５／０００９３３８；
Ｕ．Ｓ．  特許  出願  公開  Ｎｏ．  ２０１５／０００９６１０；
Ｕ．Ｓ．  特許  出願  公開  Ｎｏ．  ２０１５／００１４４１６；
Ｕ．Ｓ．  特許  出願  公開  Ｎｏ．  ２０１５／００２１３９７；
Ｕ．Ｓ．  特許  出願  公開  Ｎｏ．  ２０１５／００２８１０２；
Ｕ．Ｓ．  特許  出願  公開  Ｎｏ．  ２０１５／００２８１０３；
Ｕ．Ｓ．  特許  出願  公開  Ｎｏ．  ２０１５／００２８１０４；
Ｕ．Ｓ．  特許  出願  公開  Ｎｏ．  ２０１５／００２９００２；
Ｕ．Ｓ．  特許  出願  公開  Ｎｏ．  ２０１５／００３２７０９；
Ｕ．Ｓ．  特許  出願  公開  Ｎｏ．  ２０１５／００３９３０９；
Ｕ．Ｓ．  特許  出願  公開  Ｎｏ．  ２０１５／００３９８７８；
Ｕ．Ｓ．  特許  出願  公開  Ｎｏ．  ２０１５／００４０３７８；
Ｕ．Ｓ．  特許  出願  公開  Ｎｏ．  ２０１５／００４８１６８；
Ｕ．Ｓ．  特許  出願  公開  Ｎｏ．  ２０１５／００４９３４７；
Ｕ．Ｓ．  特許  出願  公開  Ｎｏ．  ２０１５／００５１９９２；
Ｕ．Ｓ．  特許  出願  公開  Ｎｏ．  ２０１５／００５３７６６；
Ｕ．Ｓ．  特許  出願  公開  Ｎｏ．  ２０１５／００５３７６８；
Ｕ．Ｓ．  特許  出願  公開  Ｎｏ．  ２０１５／００５３７６９；
Ｕ．Ｓ．  特許  出願  公開  Ｎｏ．  ２０１５／００６０５４４；
Ｕ．Ｓ．  特許  出願  公開  Ｎｏ．  ２０１５／００６２３６６；
Ｕ．Ｓ．  特許  出願  公開  Ｎｏ．  ２０１５／００６３２１５；
Ｕ．Ｓ．  特許  出願  公開  Ｎｏ．  ２０１５／００６３６７６；
Ｕ．Ｓ．  特許  出願  公開  Ｎｏ．  ２０１５／００６９１３０；
Ｕ．Ｓ．  特許  出願  公開  Ｎｏ．  ２０１５／００７１８１９；
Ｕ．Ｓ．  特許  出願  公開  Ｎｏ．  ２０１５／００８３８００；
Ｕ．Ｓ．  特許  出願  公開  Ｎｏ．  ２０１５／００８６１１４；
Ｕ．Ｓ．  特許  出願  公開  Ｎｏ．  ２０１５／００８８５２２；
Ｕ．Ｓ．  特許  出願  公開  Ｎｏ．  ２０１５／００９６８７２；
Ｕ．Ｓ．  特許  出願  公開  Ｎｏ．  ２０１５／００９９５５７；
Ｕ．Ｓ．  特許  出願  公開  Ｎｏ．  ２０１５／０１００１９６；
Ｕ．Ｓ．  特許  出願  公開  Ｎｏ．  ２０１５／０１０２１０９；
Ｕ．Ｓ．  特許  出願  公開  Ｎｏ．  ２０１５／０１１５０３５；
Ｕ．Ｓ．  特許  出願  公開  Ｎｏ．  ２０１５／０１２７７９１；
Ｕ．Ｓ．  特許  出願  公開  Ｎｏ．  ２０１５／０１２８１１６；
Ｕ．Ｓ．  特許  出願  公開  Ｎｏ．  ２０１５／０１２９６５９；
Ｕ．Ｓ．  特許  出願  公開  Ｎｏ．  ２０１５／０１３３０４７；
Ｕ．Ｓ．  特許  出願  公開  Ｎｏ．  ２０１５／０１３４４７０；
Ｕ．Ｓ．  特許  出願  公開  Ｎｏ．  ２０１５／０１３６８５１；
Ｕ．Ｓ．  特許  出願  公開  Ｎｏ．  ２０１５／０１３６８５４；
Ｕ．Ｓ．  特許  出願  公開  Ｎｏ．  ２０１５／０１４２４９２；
Ｕ．Ｓ．  特許  出願  公開  Ｎｏ．  ２０１５／０１４４６９２；
Ｕ．Ｓ．  特許  出願  公開  Ｎｏ．  ２０１５／０１４４６９８；
Ｕ．Ｓ．  特許  出願  公開  Ｎｏ．  ２０１５／０１４４７０１；
Ｕ．Ｓ．  特許  出願  公開  Ｎｏ．  ２０１５／０１４９９４６；
Ｕ．Ｓ．  特許  出願  公開  Ｎｏ．  ２０１５／０１６１４２９；
Ｕ．Ｓ．  特許  出願  公開  Ｎｏ．  ２０１５／０１６９９２５；
Ｕ．Ｓ．  特許  出願  公開  Ｎｏ．  ２０１５／０１６９９２９；
Ｕ．Ｓ．  特許  出願  公開  Ｎｏ．  ２０１５／０１７８５２３；
Ｕ．Ｓ．  特許  出願  公開  Ｎｏ．  ２０１５／０１７８５３４；
Ｕ．Ｓ．  特許  出願  公開  Ｎｏ．  ２０１５／０１７８５３５；
Ｕ．Ｓ．  特許  出願  公開  Ｎｏ．  ２０１５／０１７８５３６；
Ｕ．Ｓ．  特許  出願  公開  Ｎｏ．  ２０１５／０１７８５３７；
Ｕ．Ｓ．  特許  出願  公開  Ｎｏ．  ２０１５／０１８１０９３；
Ｕ．Ｓ．  特許  出願  公開  Ｎｏ．  ２０１５／０１８１１０９；
Ｕ．Ｓ．  特許  出願  Ｎｏ．  １３／３６７，９７８  ｆｏｒ  ａ  Ｌａｓｅｒ  Ｓｃａｎｎｉｎｇ  Ｍｏｄｕｌｅ  Ｅｍｐｌｏｙｉｎｇ  ａｎ  Ｅｌａｓｔｏｍｅｒｉｃ  Ｕ−Ｈｉｎｇｅ  Ｂａｓｅｄ  Ｌａｓｅｒ  Ｓｃａｎｎｉｎｇ  Ａｓｓｅｍｂｌｙ，  ｆｉｌｅｄ  Ｆｅｂｒｕａｒｙ  ７，  ２０１２  （Ｆｅｎｇ  ｅｔ  ａｌ．）；
Ｕ．Ｓ．  特許  出願  Ｎｏ．  ２９／４５８，４０５  ｆｏｒ  ａｎ  Ｅｌｅｃｔｒｏｎｉｃ  Ｄｅｖｉｃｅ，  ｆｉｌｅｄ  Ｊｕｎｅ  １９，  ２０１３  （Ｆｉｔｃｈ  ｅｔ  ａｌ．）；
Ｕ．Ｓ．  特許  出願  Ｎｏ．  ２９／４５９，６２０  ｆｏｒ  ａｎ  Ｅｌｅｃｔｒｏｎｉｃ  Ｄｅｖｉｃｅ  Ｅｎｃｌｏｓｕｒｅ，  ｆｉｌｅｄ  Ｊｕｌｙ  ２，  ２０１３  （Ｌｏｎｄｏｎ  ｅｔ  ａｌ．）；
Ｕ．Ｓ．  特許  出願  Ｎｏ．  ２９／４６８，１１８  ｆｏｒ  ａｎ  Ｅｌｅｃｔｒｏｎｉｃ  Ｄｅｖｉｃｅ  Ｃａｓｅ，  ｆｉｌｅｄ  Ｓｅｐｔｅｍｂｅｒ  ２６，  ２０１３  （Ｏｂｅｒｐｒｉｌｌｅｒ  ｅｔ  ａｌ．）；
Ｕ．Ｓ．  特許  出願  Ｎｏ．  １４／１５０，３９３  ｆｏｒ  Ｉｎｄｉｃｉａ−ｒｅａｄｅｒ  Ｈａｖｉｎｇ  Ｕｎｉｔａｒｙ  Ｃｏｎｓｔｒｕｃｔｉｏｎ  Ｓｃａｎｎｅｒ，  ｆｉｌｅｄ  Ｊａｎｕａｒｙ  ８，  ２０１４  （Ｃｏｌａｖｉｔｏ  ｅｔ  ａｌ．）；
Ｕ．Ｓ．  特許  出願  Ｎｏ．  １４／２００，４０５  ｆｏｒ  Ｉｎｄｉｃｉａ  Ｒｅａｄｅｒ  ｆｏｒ  Ｓｉｚｅ−Ｌｉｍｉｔｅｄ  出願ｓ  ｆｉｌｅｄ  Ｍａｒｃｈ  ７，  ２０１４  （Ｆｅｎｇ  ｅｔ  ａｌ．）；
Ｕ．Ｓ．  特許  出願  Ｎｏ．  １４／２３１，８９８  ｆｏｒ  Ｈａｎｄ−Ｍｏｕｎｔｅｄ  Ｉｎｄｉｃｉａ−Ｒｅａｄｉｎｇ  Ｄｅｖｉｃｅ  ｗｉｔｈ  Ｆｉｎｇｅｒ  Ｍｏｔｉｏｎ  Ｔｒｉｇｇｅｒｉｎｇ  ｆｉｌｅｄ  Ａｐｒｉｌ  １，  ２０１４  （Ｖａｎ  Ｈｏｒｎ  ｅｔ  ａｌ．）；
Ｕ．Ｓ．  特許  出願  Ｎｏ．  ２９／４８６，７５９  ｆｏｒ  ａｎ  Ｉｍａｇｉｎｇ  Ｔｅｒｍｉｎａｌ，  ｆｉｌｅｄ  Ａｐｒｉｌ  ２，  ２０１４  （Ｏｂｅｒｐｒｉｌｌｅｒ  ｅｔ  ａｌ．）；
Ｕ．Ｓ．  特許  出願  Ｎｏ．  １４／２５７，３６４  ｆｏｒ  Ｄｏｃｋｉｎｇ  Ｓｙｓｔｅｍ  ａｎｄ  Ｍｅｔｈｏｄ  Ｕｓｉｎｇ  Ｎｅａｒ  Ｆｉｅｌｄ  Ｃｏｍｍｕｎｉｃａｔｉｏｎ  ｆｉｌｅｄ  Ａｐｒｉｌ  ２１，  ２０１４  （Ｓｈｏｗｅｒｉｎｇ）；
Ｕ．Ｓ．  特許  出願  Ｎｏ．  １４／２６４，１７３  ｆｏｒ  Ａｕｔｏｆｏｃｕｓ  Ｌｅｎｓ  Ｓｙｓｔｅｍ  ｆｏｒ  Ｉｎｄｉｃｉａ  Ｒｅａｄｅｒｓ  ｆｉｌｅｄ  Ａｐｒｉｌ  ２９，  ２０１４  （Ａｃｋｌｅｙ  ｅｔ  ａｌ．）；
Ｕ．Ｓ．  特許  出願  Ｎｏ．  １４／２７７，３３７  ｆｏｒ  ＭＵＬＴＩＰＵＲＰＯＳＥ  ＯＰＴＩＣＡＬ  ＲＥＡＤＥＲ，  ｆｉｌｅｄ  Ｍａｙ  １４，  ２０１４  （Ｊｏｖａｎｏｖｓｋｉ  ｅｔ  ａｌ．）；
Ｕ．Ｓ．  特許  出願  Ｎｏ．  １４／２８３，２８２  ｆｏｒ  ＴＥＲＭＩＮＡＬ  ＨＡＶＩＮＧ  ＩＬＬＵＭＩＮＡＴＩＯＮ  ＡＮＤ  ＦＯＣＵＳ  ＣＯＮＴＲＯＬ  ｆｉｌｅｄ  Ｍａｙ  ２１，  ２０１４  （Ｌｉｕ  ｅｔ  ａｌ．）；
Ｕ．Ｓ．  特許  出願  Ｎｏ．  １４／３２７，８２７  ｆｏｒ  ａ  ＭＯＢＩＬＥ−ＰＨＯＮＥ  ＡＤＡＰＴＥＲ  ＦＯＲ  ＥＬＥＣＴＲＯＮＩＣ  ＴＲＡＮＳＡＣＴＩＯＮＳ，  ｆｉｌｅｄ  Ｊｕｌｙ  １０，  ２０１４  （Ｈｅｊｌ）；
Ｕ．Ｓ．  特許  出願  Ｎｏ．  １４／３３４，９３４  ｆｏｒ  ａ  ＳＹＳＴＥＭ  ＡＮＤ  ＭＥＴＨＯＤ  ＦＯＲ  ＩＮＤＩＣＩＡ  ＶＥＲＩＦＩＣＡＴＩＯＮ，  ｆｉｌｅｄ  Ｊｕｌｙ  １８，  ２０１４  （Ｈｅｊｌ）；
Ｕ．Ｓ．  特許  出願  Ｎｏ．  １４／３３９，７０８  ｆｏｒ  ＬＡＳＥＲ  ＳＣＡＮＮＩＮＧ  ＣＯＤＥ  ＳＹＭＢＯＬ  ＲＥＡＤＩＮＧ  ＳＹＳＴＥＭ，  ｆｉｌｅｄ  Ｊｕｌｙ  ２４，  ２０１４  （Ｘｉａｎ  ｅｔ  ａｌ．）；
Ｕ．Ｓ．  特許  出願  Ｎｏ．  １４／３４０，６２７  ｆｏｒ  ａｎ  ＡＸＩＡＬＬＹ  ＲＥＩＮＦＯＲＣＥＤ  ＦＬＥＸＩＢＬＥ  ＳＣＡＮ  ＥＬＥＭＥＮＴ，  ｆｉｌｅｄ  Ｊｕｌｙ  ２５，  ２０１４  （Ｒｕｅｂｌｉｎｇｅｒ  ｅｔ  ａｌ．）；
Ｕ．Ｓ．  特許  出願  Ｎｏ．  １４／４４６，３９１  ｆｏｒ  ＭＵＬＴＩＦＵＮＣＴＩＯＮ  ＰＯＩＮＴ  ＯＦ  ＳＡＬＥ  ＡＰＰＡＲＡＴＵＳ  ＷＩＴＨ  ＯＰＴＩＣＡＬ  ＳＩＧＮＡＴＵＲＥ  ＣＡＰＴＵＲＥ  ｆｉｌｅｄ  Ｊｕｌｙ  ３０，  ２０１４  （Ｇｏｏｄ  ｅｔ  ａｌ．）；
Ｕ．Ｓ．  特許  出願  Ｎｏ．  １４／４５２，６９７  ｆｏｒ  ＩＮＴＥＲＡＣＴＩＶＥ  ＩＮＤＩＣＩＡ  ＲＥＡＤＥＲ，  ｆｉｌｅｄ  Ａｕｇｕｓｔ  ６，  ２０１４  （Ｔｏｄｅｓｃｈｉｎｉ）；
Ｕ．Ｓ．  特許  出願  Ｎｏ．  １４／４５３，０１９  ｆｏｒ  ＤＩＭＥＮＳＩＯＮＩＮＧ  ＳＹＳＴＥＭ  ＷＩＴＨ  ＧＵＩＤＥＤ  ＡＬＩＧＮＭＥＮＴ，  ｆｉｌｅｄ  Ａｕｇｕｓｔ  ６，  ２０１４  （Ｌｉ  ｅｔ  ａｌ．）；
Ｕ．Ｓ．  特許  出願  Ｎｏ．  １４／４６２，８０１  ｆｏｒ  ＭＯＢＩＬＥ  ＣＯＭＰＵＴＩＮＧ  ＤＥＶＩＣＥ  ＷＩＴＨ  ＤＡＴＡ  ＣＯＧＮＩＴＩＯＮ  ＳＯＦＴＷＡＲＥ，  ｆｉｌｅｄ  ｏｎ  Ａｕｇｕｓｔ  １９，  ２０１４  （Ｔｏｄｅｓｃｈｉｎｉ  ｅｔ  ａｌ．）；
Ｕ．Ｓ．  特許  出願  Ｎｏ．  １４／４８３，０５６  ｆｏｒ  ＶＡＲＩＡＢＬＥ  ＤＥＰＴＨ  ＯＦ  ＦＩＥＬＤ  ＢＡＲＣＯＤＥ  ＳＣＡＮＮＥＲ  ｆｉｌｅｄ  Ｓｅｐ．  １０，  ２０１４  （ＭｃＣｌｏｓｋｅｙ  ｅｔ  ａｌ．）；
Ｕ．Ｓ．  特許  出願  Ｎｏ．  １４／５１３，８０８  ｆｏｒ  ＩＤＥＮＴＩＦＹＩＮＧ  ＩＮＶＥＮＴＯＲＹ  ＩＴＥＭＳ  ＩＮ  Ａ  ＳＴＯＲＡＧＥ  ＦＡＣＩＬＩＴＹ  ｆｉｌｅｄ  Ｏｃｔ．  １４，  ２０１４  （Ｓｉｎｇｅｌ  ｅｔ  ａｌ．）；
Ｕ．Ｓ．  特許  出願  Ｎｏ．  １４／５１９，１９５  ｆｏｒ  ＨＡＮＤＨＥＬＤ  ＤＩＭＥＮＳＩＯＮＩＮＧ  ＳＹＳＴＥＭ  ＷＩＴＨ  ＦＥＥＤＢＡＣＫ  ｆｉｌｅｄ  Ｏｃｔ．  ２１，  ２０１４  （Ｌａｆｆａｒｇｕｅ  ｅｔ  ａｌ．）；
Ｕ．Ｓ．  特許  出願  Ｎｏ．  １４／５１９，１７９  ｆｏｒ  ＤＩＭＥＮＳＩＯＮＩＮＧ  ＳＹＳＴＥＭ  ＷＩＴＨ  ＭＵＬＴＩＰＡＴＨ  ＩＮＴＥＲＦＥＲＥＮＣＥ  ＭＩＴＩＧＡＴＩＯＮ  ｆｉｌｅｄ  Ｏｃｔ．  ２１，  ２０１４  （Ｔｈｕｒｉｅｓ  ｅｔ  ａｌ．）；
Ｕ．Ｓ．  特許  出願  Ｎｏ．  １４／５１９，２１１  ｆｏｒ  ＳＹＳＴＥＭ  ＡＮＤ  ＭＥＴＨＯＤ  ＦＯＲ  ＤＩＭＥＮＳＩＯＮＩＮＧ  ｆｉｌｅｄ  Ｏｃｔ．  ２１，  ２０１４  （Ａｃｋｌｅｙ  ｅｔ  ａｌ．）；
Ｕ．Ｓ．  特許  出願  Ｎｏ．  １４／５１９，２３３  ｆｏｒ  ＨＡＮＤＨＥＬＤ  ＤＩＭＥＮＳＩＯＮＥＲ  ＷＩＴＨ  ＤＡＴＡ−ＱＵＡＬＩＴＹ  ＩＮＤＩＣＡＴＩＯＮ  ｆｉｌｅｄ  Ｏｃｔ．  ２１，  ２０１４  （Ｌａｆｆａｒｇｕｅ  ｅｔ  ａｌ．）；
Ｕ．Ｓ．  特許  出願  Ｎｏ．  １４／５１９，２４９  ｆｏｒ  ＨＡＮＤＨＥＬＤ  ＤＩＭＥＮＳＩＯＮＩＮＧ  ＳＹＳＴＥＭ  ＷＩＴＨ  ＭＥＡＳＵＲＥＭＥＮＴ−ＣＯＮＦＯＲＭＡＮＣＥ  ＦＥＥＤＢＡＣＫ  ｆｉｌｅｄ  Ｏｃｔ．  ２１，  ２０１４  （Ａｃｋｌｅｙ  ｅｔ  ａｌ．）；
Ｕ．Ｓ．  特許  出願  Ｎｏ．  １４／５２７，１９１  ｆｏｒ  ＭＥＴＨＯＤ  ＡＮＤ  ＳＹＳＴＥＭ  ＦＯＲ  ＲＥＣＯＧＮＩＺＩＮＧ  ＳＰＥＥＣＨ  ＵＳＩＮＧ  ＷＩＬＤＣＡＲＤＳ  ＩＮ  ＡＮ  ＥＸＰＥＣＴＥＤ  ＲＥＳＰＯＮＳＥ  ｆｉｌｅｄ  Ｏｃｔ．  ２９，  ２０１４  （Ｂｒａｈｏ  ｅｔ  ａｌ．）；
Ｕ．Ｓ．  特許  出願  Ｎｏ．  １４／５２９，５６３  ｆｏｒ  ＡＤＡＰＴＡＢＬＥ  ＩＮＴＥＲＦＡＣＥ  ＦＯＲ  Ａ  ＭＯＢＩＬＥ  ＣＯＭＰＵＴＩＮＧ  ＤＥＶＩＣＥ  ｆｉｌｅｄ  Ｏｃｔ．  ３１，  ２０１４  （Ｓｃｈｏｏｎ  ｅｔ  ａｌ．）；
Ｕ．Ｓ．  特許  出願  Ｎｏ．  １４／５２９，８５７  ｆｏｒ  ＢＡＲＣＯＤＥ  ＲＥＡＤＥＲ  ＷＩＴＨ  ＳＥＣＵＲＩＴＹ  ＦＥＡＴＵＲＥＳ  ｆｉｌｅｄ  Ｏｃｔｏｂｅｒ  ３１，  ２０１４  （Ｔｏｄｅｓｃｈｉｎｉ  ｅｔ  ａｌ．）；
Ｕ．Ｓ．  特許  出願  Ｎｏ．  １４／３９８，５４２  ｆｏｒ  ＰＯＲＴＡＢＬＥ  ＥＬＥＣＴＲＯＮＩＣ  ＤＥＶＩＣＥＳ  ＨＡＶＩＮＧ  Ａ  ＳＥＰＡＲＡＴＥ  ＬＯＣＡＴＩＯＮ  ＴＲＩＧＧＥＲ  ＵＮＩＴ  ＦＯＲ  ＵＳＥ  ＩＮ  ＣＯＮＴＲＯＬＬＩＮＧ  ＡＮ  出願  ＵＮＩＴ  ｆｉｌｅｄ  Ｎｏｖｅｍｂｅｒ  ３，  ２０１４  （Ｂｉａｎ  ｅｔ  ａｌ．）；
Ｕ．Ｓ．  特許  出願  Ｎｏ．  １４／５３１，１５４  ｆｏｒ  ＤＩＲＥＣＴＩＮＧ  ＡＮ  ＩＮＳＰＥＣＴＯＲ  ＴＨＲＯＵＧＨ  ＡＮ  ＩＮＳＰＥＣＴＩＯＮ  ｆｉｌｅｄ  Ｎｏｖ．  ３，  ２０１４  （Ｍｉｌｌｅｒ  ｅｔ  ａｌ．）；
Ｕ．Ｓ．  特許  出願  Ｎｏ．  １４／５３３，３１９  ｆｏｒ  ＢＡＲＣＯＤＥ  ＳＣＡＮＮＩＮＧ  ＳＹＳＴＥＭ  ＵＳＩＮＧ  ＷＥＡＲＡＢＬＥ  ＤＥＶＩＣＥ  ＷＩＴＨ  ＥＭＢＥＤＤＥＤ  ＣＡＭＥＲＡ  ｆｉｌｅｄ  Ｎｏｖ．  ５，  ２０１４  （Ｔｏｄｅｓｃｈｉｎｉ）；
Ｕ．Ｓ．  特許  出願  Ｎｏ．  １４／５３５，７６４  ｆｏｒ  ＣＯＮＣＡＴＥＮＡＴＥＤ  ＥＸＰＥＣＴＥＤ  ＲＥＳＰＯＮＳＥＳ  ＦＯＲ  ＳＰＥＥＣＨ  ＲＥＣＯＧＮＩＴＩＯＮ  ｆｉｌｅｄ  Ｎｏｖ．  ７，  ２０１４  （Ｂｒａｈｏ  ｅｔ  ａｌ．）；
Ｕ．Ｓ．  特許  出願  Ｎｏ．  １４／５６８，３０５  ｆｏｒ  ＡＵＴＯ−ＣＯＮＴＲＡＳＴ  ＶＩＥＷＦＩＮＤＥＲ  ＦＯＲ  ＡＮ  ＩＮＤＩＣＩＡ  ＲＥＡＤＥＲ  ｆｉｌｅｄ  Ｄｅｃ．  １２，  ２０１４  （Ｔｏｄｅｓｃｈｉｎｉ）；
Ｕ．Ｓ．  特許  出願  Ｎｏ．  １４／５７３，０２２  ｆｏｒ  ＤＹＮＡＭＩＣ  ＤＩＡＧＮＯＳＴＩＣ  ＩＮＤＩＣＡＴＯＲ  ＧＥＮＥＲＡＴＩＯＮ  ｆｉｌｅｄ  Ｄｅｃ．  １７，  ２０１４  （Ｇｏｌｄｓｍｉｔｈ）；
Ｕ．Ｓ．  特許  出願  Ｎｏ．  １４／５７８，６２７  ｆｏｒ  ＳＡＦＥＴＹ  ＳＹＳＴＥＭ  ＡＮＤ  ＭＥＴＨＯＤ  ｆｉｌｅｄ  Ｄｅｃ．  ２２，  ２０１４  （Ａｃｋｌｅｙ  ｅｔ  ａｌ．）；
Ｕ．Ｓ．  特許  出願  Ｎｏ．  １４／５８０，２６２  ｆｏｒ  ＭＥＤＩＡ  ＧＡＴＥ  ＦＯＲ  ＴＨＥＲＭＡＬ  ＴＲＡＮＳＦＥＲ  ＰＲＩＮＴＥＲＳ  ｆｉｌｅｄ  Ｄｅｃ．  ２３，  ２０１４  （Ｂｏｗｌｅｓ）；
Ｕ．Ｓ．  特許  出願  Ｎｏ．  １４／５９０，０２４  ｆｏｒ  ＳＨＥＬＶＩＮＧ  ＡＮＤ  ＰＡＣＫＡＧＥ  ＬＯＣＡＴＩＮＧ  ＳＹＳＴＥＭＳ  ＦＯＲ  ＤＥＬＩＶＥＲＹ  ＶＥＨＩＣＬＥＳ  ｆｉｌｅｄ  Ｊａｎｕａｒｙ  ６，  ２０１５  （Ｐａｙｎｅ）；
Ｕ．Ｓ．  特許  出願  Ｎｏ．  １４／５９６，７５７  ｆｏｒ  ＳＹＳＴＥＭ  ＡＮＤ  ＭＥＴＨＯＤ  ＦＯＲ  ＤＥＴＥＣＴＩＮＧ  ＢＡＲＣＯＤＥ  ＰＲＩＮＴＩＮＧ  ＥＲＲＯＲＳ  ｆｉｌｅｄ  Ｊａｎ．  １４，  ２０１５  （Ａｃｋｌｅｙ）；
Ｕ．Ｓ．  特許  出願  Ｎｏ．  １４／４１６，１４７  ｆｏｒ  ＯＰＴＩＣＡＬ  ＲＥＡＤＩＮＧ  ＡＰＰＡＲＡＴＵＳ  ＨＡＶＩＮＧ  ＶＡＲＩＡＢＬＥ  ＳＥＴＴＩＮＧＳ  ｆｉｌｅｄ  Ｊａｎｕａｒｙ  ２１，  ２０１５  （Ｃｈｅｎ  ｅｔ  ａｌ．）；
Ｕ．Ｓ．  特許  出願  Ｎｏ．  １４／６１４，７０６  ｆｏｒ  ＤＥＶＩＣＥ  ＦＯＲ  ＳＵＰＰＯＲＴＩＮＧ  ＡＮ  ＥＬＥＣＴＲＯＮＩＣ  ＴＯＯＬ  ＯＮ  Ａ  ＵＳＥＲ’Ｓ  ＨＡＮＤ  ｆｉｌｅｄ  Ｆｅｂ．  ５，  ２０１５  （Ｏｂｅｒｐｒｉｌｌｅｒ  ｅｔ  ａｌ．）；
Ｕ．Ｓ．  特許  出願  Ｎｏ．  １４／６１４，７９６  ｆｏｒ  ＣＡＲＧＯ  ＡＰＰＯＲＴＩＯＮＭＥＮＴ  ＴＥＣＨＮＩＱＵＥＳ  ｆｉｌｅｄ  Ｆｅｂ．  ５，  ２０１５  （Ｍｏｒｔｏｎ  ｅｔ  ａｌ．）；
Ｕ．Ｓ．  特許  出願  Ｎｏ．  ２９／５１６，８９２  ｆｏｒ  ＴＡＢＬＥ  ＣＯＭＰＵＴＥＲ  ｆｉｌｅｄ  Ｆｅｂ．  ６，  ２０１５  （Ｂｉｄｗｅｌｌ  ｅｔ  ａｌ．）；
Ｕ．Ｓ．  特許  出願  Ｎｏ．  １４／６１９，０９３  ｆｏｒ  ＭＥＴＨＯＤＳ  ＦＯＲ  ＴＲＡＩＮＩＮＧ  Ａ  ＳＰＥＥＣＨ  ＲＥＣＯＧＮＩＴＩＯＮ  ＳＹＳＴＥＭ  ｆｉｌｅｄ  Ｆｅｂ．  １１，  ２０１５  （Ｐｅｃｏｒａｒｉ）；
Ｕ．Ｓ．  特許  出願  Ｎｏ．  １４／６２８，７０８  ｆｏｒ  ＤＥＶＩＣＥ，  ＳＹＳＴＥＭ，  ＡＮＤ  ＭＥＴＨＯＤ  ＦＯＲ  ＤＥＴＥＲＭＩＮＩＮＧ  ＴＨＥ  ＳＴＡＴＵＳ  ＯＦ  ＣＨＥＣＫＯＵＴ  ＬＡＮＥＳ  ｆｉｌｅｄ  Ｆｅｂ．  ２３，  ２０１５  （Ｔｏｄｅｓｃｈｉｎｉ）；
Ｕ．Ｓ．  特許  出願  Ｎｏ．  １４／６３０，８４１  ｆｏｒ  ＴＥＲＭＩＮＡＬ  ＩＮＣＬＵＤＩＮＧ  ＩＭＡＧＩＮＧ  ＡＳＳＥＭＢＬＹ  ｆｉｌｅｄ  Ｆｅｂ．  ２５，  ２０１５  （Ｇｏｍｅｚ  ｅｔ  ａｌ．）；
Ｕ．Ｓ．  特許  出願  Ｎｏ．  １４／６３５，３４６  ｆｏｒ  ＳＹＳＴＥＭ  ＡＮＤ  ＭＥＴＨＯＤ  ＦＯＲ  ＲＥＬＩＡＢＬＥ  ＳＴＯＲＥ−ＡＮＤ−ＦＯＲＷＡＲＤ  ＤＡＴＡ  ＨＡＮＤＬＩＮＧ  ＢＹ  ＥＮＣＯＤＥＤ  ＩＮＦＯＲＭＡＴＩＯＮ  ＲＥＡＤＩＮＧ  ＴＥＲＭＩＮＡＬＳ  ｆｉｌｅｄ  Ｍａｒｃｈ  ２，  ２０１５  （Ｓｅｖｉｅｒ）；
Ｕ．Ｓ．  特許  出願  Ｎｏ．  ２９／５１９，０１７  ｆｏｒ  ＳＣＡＮＮＥＲ  ｆｉｌｅｄ  Ｍａｒｃｈ  ２，  ２０１５  （Ｚｈｏｕ  ｅｔ  ａｌ．）；
Ｕ．Ｓ．  特許  出願  Ｎｏ．  １４／４０５，２７８  ｆｏｒ  ＤＥＳＩＧＮ  ＰＡＴＴＥＲＮ  ＦＯＲ  ＳＥＣＵＲＥ  ＳＴＯＲＥ  ｆｉｌｅｄ  Ｍａｒｃｈ  ９，  ２０１５  （Ｚｈｕ  ｅｔ  ａｌ．）；
Ｕ．Ｓ．  特許  出願  Ｎｏ．  １４／６６０，９７０  ｆｏｒ  ＤＥＣＯＤＡＢＬＥ  ＩＮＤＩＣＩＡ  ＲＥＡＤＩＮＧ  ＴＥＲＭＩＮＡＬ  ＷＩＴＨ  ＣＯＭＢＩＮＥＤ  ＩＬＬＵＭＩＮＡＴＩＯＮ  ｆｉｌｅｄ  Ｍａｒｃｈ  １８，  ２０１５  （Ｋｅａｒｎｅｙ  ｅｔ  ａｌ．）；
Ｕ．Ｓ．  特許  出願  Ｎｏ．  １４／６６１，０１３  ｆｏｒ  ＲＥＰＲＯＧＲＡＭＭＩＮＧ  ＳＹＳＴＥＭ  ＡＮＤ  ＭＥＴＨＯＤ  ＦＯＲ  ＤＥＶＩＣＥＳ  ＩＮＣＬＵＤＩＮＧ  ＰＲＯＧＲＡＭＭＩＮＧ  ＳＹＭＢＯＬ  ｆｉｌｅｄ  Ｍａｒｃｈ  １８，  ２０１５  （Ｓｏｕｌｅ  ｅｔ  ａｌ．）；
Ｕ．Ｓ．  特許  出願  Ｎｏ．  １４／６６２，９２２  ｆｏｒ  ＭＵＬＴＩＦＵＮＣＴＩＯＮ  ＰＯＩＮＴ  ＯＦ  ＳＡＬＥ  ＳＹＳＴＥＭ  ｆｉｌｅｄ  Ｍａｒｃｈ  １９，  ２０１５  （Ｖａｎ  Ｈｏｒｎ  ｅｔ  ａｌ．）；
Ｕ．Ｓ．  特許  出願  Ｎｏ．  １４／６６３，６３８  ｆｏｒ  ＶＥＨＩＣＬＥ  ＭＯＵＮＴ  ＣＯＭＰＵＴＥＲ  ＷＩＴＨ  ＣＯＮＦＩＧＵＲＡＢＬＥ  ＩＧＮＩＴＩＯＮ  ＳＷＩＴＣＨ  ＢＥＨＡＶＩＯＲ  ｆｉｌｅｄ  Ｍａｒｃｈ  ２０，  ２０１５  （Ｄａｖｉｓ  ｅｔ  ａｌ．）；
Ｕ．Ｓ．  特許  出願  Ｎｏ．  １４／６６４，０６３  ｆｏｒ  ＭＥＴＨＯＤ  ＡＮＤ  出願  ＦＯＲ  ＳＣＡＮＮＩＮＧ  Ａ  ＢＡＲＣＯＤＥ  ＷＩＴＨ  Ａ  ＳＭＡＲＴ  ＤＥＶＩＣＥ  ＷＨＩＬＥ  ＣＯＮＴＩＮＵＯＵＳＬＹ  ＲＵＮＮＩＮＧ  ＡＮＤ  ＤＩＳＰＬＡＹＩＮＧ  ＡＮ  出願  ＯＮ  ＴＨＥ  ＳＭＡＲＴ  ＤＥＶＩＣＥ  ＤＩＳＰＬＡＹ  ｆｉｌｅｄ  Ｍａｒｃｈ  ２０，  ２０１５  （Ｔｏｄｅｓｃｈｉｎｉ）；
Ｕ．Ｓ．  特許  出願  Ｎｏ．  １４／６６９，２８０  ｆｏｒ  ＴＲＡＮＳＦＯＲＭＩＮＧ  ＣＯＭＰＯＮＥＮＴＳ  ＯＦ  Ａ  ＷＥＢ  ＰＡＧＥ  ＴＯ  ＶＯＩＣＥ  ＰＲＯＭＰＴＳ  ｆｉｌｅｄ  Ｍａｒｃｈ  ２６，  ２０１５  （Ｆｕｎｙａｋ  ｅｔ  ａｌ．）；
Ｕ．Ｓ．  特許  出願  Ｎｏ．  １４／６７４，３２９  ｆｏｒ  ＡＩＭＥＲ  ＦＯＲ  ＢＡＲＣＯＤＥ  ＳＣＡＮＮＩＮＧ  ｆｉｌｅｄ  Ｍａｒｃｈ  ３１，  ２０１５  （Ｂｉｄｗｅｌｌ）；
Ｕ．Ｓ．  特許  出願  Ｎｏ．  １４／６７６，１０９  ｆｏｒ  ＩＮＤＩＣＩＡ  ＲＥＡＤＥＲ  ｆｉｌｅｄ  Ａｐｒｉｌ  １，  ２０１５  （Ｈｕｃｋ）；
Ｕ．Ｓ．  特許  出願  Ｎｏ．  １４／６７６，３２７  ｆｏｒ  ＤＥＶＩＣＥ  ＭＡＮＡＧＥＭＥＮＴ  ＰＲＯＸＹ  ＦＯＲ  ＳＥＣＵＲＥ  ＤＥＶＩＣＥＳ  ｆｉｌｅｄ  Ａｐｒｉｌ  １，  ２０１５  （Ｙｅａｋｌｅｙ  ｅｔ  ａｌ．）；
Ｕ．Ｓ．  特許  出願  Ｎｏ．  １４／６７６，８９８  ｆｏｒ  ＮＡＶＩＧＡＴＩＯＮ  ＳＹＳＴＥＭ  ＣＯＮＦＩＧＵＲＥＤ  ＴＯ  ＩＮＴＥＧＲＡＴＥ  ＭＯＴＩＯＮ  ＳＥＮＳＩＮＧ  ＤＥＶＩＣＥ  ＩＮＰＵＴＳ  ｆｉｌｅｄ  Ａｐｒｉｌ  ２，  ２０１５  （Ｓｈｏｗｅｒｉｎｇ）；
Ｕ．Ｓ．  特許  出願  Ｎｏ．  １４／６７９，２７５  ｆｏｒ  ＤＩＭＥＮＳＩＯＮＩＮＧ  ＳＹＳＴＥＭ  ＣＡＬＩＢＲＡＴＩＯＮ  ＳＹＳＴＥＭＳ  ＡＮＤ  ＭＥＴＨＯＤＳ  ｆｉｌｅｄ  Ａｐｒｉｌ  ６，  ２０１５  （Ｌａｆｆａｒｇｕｅ  ｅｔ  ａｌ．）；
Ｕ．Ｓ．  特許  出願  Ｎｏ．  ２９／５２３，０９８  ｆｏｒ  ＨＡＮＤＬＥ  ＦＯＲ  Ａ  ＴＡＢＬＥＴ  ＣＯＭＰＵＴＥＲ  ｆｉｌｅｄ  Ａｐｒｉｌ  ７，  ２０１５  （Ｂｉｄｗｅｌｌ  ｅｔ  ａｌ．）；
Ｕ．Ｓ．  特許  出願  Ｎｏ．  １４／６８２，６１５  ｆｏｒ  ＳＹＳＴＥＭ  ＡＮＤ  ＭＥＴＨＯＤ  ＦＯＲ  ＰＯＷＥＲ  ＭＡＮＡＧＥＭＥＮＴ  ＯＦ  ＭＯＢＩＬＥ  ＤＥＶＩＣＥＳ  ｆｉｌｅｄ  Ａｐｒｉｌ  ９，  ２０１５  （Ｍｕｒａｗｓｋｉ  ｅｔ  ａｌ．）；
Ｕ．Ｓ．  特許  出願  Ｎｏ．  １４／６８６，８２２  ｆｏｒ  ＭＵＬＴＩＰＬＥ  ＰＬＡＴＦＯＲＭ  ＳＵＰＰＯＲＴ  ＳＹＳＴＥＭ  ＡＮＤ  ＭＥＴＨＯＤ  ｆｉｌｅｄ  Ａｐｒｉｌ  １５，  ２０１５  （Ｑｕ  ｅｔ  ａｌ．）；
Ｕ．Ｓ．  特許  出願  Ｎｏ．  １４／６８７，２８９  ｆｏｒ  ＳＹＳＴＥＭ  ＦＯＲ  ＣＯＭＭＵＮＩＣＡＴＩＯＮ  ＶＩＡ  Ａ  ＰＥＲＩＰＨＥＲＡＬ  ＨＵＢ  ｆｉｌｅｄ  Ａｐｒｉｌ  １５，  ２０１５  （Ｋｏｈｔｚ  ｅｔ  ａｌ．）；
Ｕ．Ｓ．  特許  出願  Ｎｏ．  ２９／５２４，１８６  ｆｏｒ  ＳＣＡＮＮＥＲ  ｆｉｌｅｄ  Ａｐｒｉｌ  １７，  ２０１５  （Ｚｈｏｕ  ｅｔ  ａｌ．）；
Ｕ．Ｓ．  特許  出願  Ｎｏ．  １４／６９５，３６４  ｆｏｒ  ＭＥＤＩＣＡＴＩＯＮ  ＭＡＮＡＧＥＭＥＮＴ  ＳＹＳＴＥＭ  ｆｉｌｅｄ  Ａｐｒｉｌ  ２４，  ２０１５  （Ｓｅｗｅｌｌ  ｅｔ  ａｌ．）；
Ｕ．Ｓ．  特許  出願  Ｎｏ．  １４／６９５，９２３  ｆｏｒ  ＳＥＣＵＲＥ  ＵＮＡＴＴＥＮＤＥＤ  ＮＥＴＷＯＲＫ  ＡＵＴＨＥＮＴＩＣＡＴＩＯＮ  ｆｉｌｅｄ  Ａｐｒｉｌ  ２４，  ２０１５  （Ｋｕｂｌｅｒ  ｅｔ  ａｌ．）；
Ｕ．Ｓ．  特許  出願  Ｎｏ．  ２９／５２５，０６８  ｆｏｒ  ＴＡＢＬＥＴ  ＣＯＭＰＵＴＥＲ  ＷＩＴＨ  ＲＥＭＯＶＡＢＬＥ  ＳＣＡＮＮＩＮＧ  ＤＥＶＩＣＥ  ｆｉｌｅｄ  Ａｐｒｉｌ  ２７，  ２０１５  （Ｓｃｈｕｌｔｅ  ｅｔ  ａｌ．）；
Ｕ．Ｓ．  特許  出願  Ｎｏ．  １４／６９９，４３６  ｆｏｒ  ＳＹＭＢＯＬ  ＲＥＡＤＩＮＧ  ＳＹＳＴＥＭ  ＨＡＶＩＮＧ  ＰＲＥＤＩＣＴＩＶＥ  ＤＩＡＧＮＯＳＴＩＣＳ  ｆｉｌｅｄ  Ａｐｒｉｌ  ２９，  ２０１５  （Ｎａｈｉｌｌ  ｅｔ  ａｌ．）；
Ｕ．Ｓ．  特許  出願  Ｎｏ．  １４／７０２，１１０  ｆｏｒ  ＳＹＳＴＥＭ  ＡＮＤ  ＭＥＴＨＯＤ  ＦＯＲ  ＲＥＧＵＬＡＴＩＮＧ  ＢＡＲＣＯＤＥ  ＤＡＴＡ  ＩＮＪＥＣＴＩＯＮ  ＩＮＴＯ  Ａ  ＲＵＮＮＩＮＧ  出願  ＯＮ  Ａ  ＳＭＡＲＴ  ＤＥＶＩＣＥ  ｆｉｌｅｄ  Ｍａｙ  １，  ２０１５  （Ｔｏｄｅｓｃｈｉｎｉ  ｅｔ  ａｌ．）；
Ｕ．Ｓ．  特許  出願  Ｎｏ．  １４／７０２，９７９  ｆｏｒ  ＴＲＡＣＫＩＮＧ  ＢＡＴＴＥＲＹ  ＣＯＮＤＩＴＩＯＮＳ  ｆｉｌｅｄ  Ｍａｙ  ４，  ２０１５  （Ｙｏｕｎｇ  ｅｔ  ａｌ．）；
Ｕ．Ｓ．  特許  出願  Ｎｏ．  １４／７０４，０５０  ｆｏｒ  ＩＮＴＥＲＭＥＤＩＡＴＥ  ＬＩＮＥＡＲ  ＰＯＳＩＴＩＯＮＩＮＧ  ｆｉｌｅｄ  Ｍａｙ  ５，  ２０１５  （Ｃｈａｒｐｅｎｔｉｅｒ  ｅｔ  ａｌ．）；
Ｕ．Ｓ．  特許  出願  Ｎｏ．  １４／７０５，０１２  ｆｏｒ  ＨＡＮＤＳ−ＦＲＥＥ  ＨＵＭＡＮ  ＭＡＣＨＩＮＥ  ＩＮＴＥＲＦＡＣＥ  ＲＥＳＰＯＮＳＩＶＥ  ＴＯ  Ａ  ＤＲＩＶＥＲ  ＯＦ  Ａ  ＶＥＨＩＣＬＥ  ｆｉｌｅｄ  Ｍａｙ  ６，  ２０１５  （Ｆｉｔｃｈ  ｅｔ  ａｌ．）；
Ｕ．Ｓ．  特許  出願  Ｎｏ．  １４／７０５，４０７  ｆｏｒ  ＭＥＴＨＯＤ  ＡＮＤ  ＳＹＳＴＥＭ  ＴＯ  ＰＲＯＴＥＣＴ  ＳＯＦＴＷＡＲＥ−ＢＡＳＥＤ  ＮＥＴＷＯＲＫ−ＣＯＮＮＥＣＴＥＤ  ＤＥＶＩＣＥＳ  ＦＲＯＭ  ＡＤＶＡＮＣＥＤ  ＰＥＲＳＩＳＴＥＮＴ  ＴＨＲＥＡＴ  ｆｉｌｅｄ  Ｍａｙ  ６，  ２０１５  （Ｈｕｓｓｅｙ  ｅｔ  ａｌ．）；
Ｕ．Ｓ．  特許  出願  Ｎｏ．  １４／７０７，０３７  ｆｏｒ  ＳＹＳＴＥＭ  ＡＮＤ  ＭＥＴＨＯＤ  ＦＯＲ  ＤＩＳＰＬＡＹ  ＯＦ  ＩＮＦＯＲＭＡＴＩＯＮ  ＵＳＩＮＧ  Ａ  ＶＥＨＩＣＬＥ−ＭＯＵＮＴ  ＣＯＭＰＵＴＥＲ  ｆｉｌｅｄ  Ｍａｙ  ８，  ２０１５  （Ｃｈａｍｂｅｒｌｉｎ）；
Ｕ．Ｓ．  特許  出願  Ｎｏ．  １４／７０７，１２３  ｆｏｒ  出願  ＩＮＤＥＰＥＮＤＥＮＴ  ＤＥＸ／ＵＣＳ  ＩＮＴＥＲＦＡＣＥ  ｆｉｌｅｄ  Ｍａｙ  ８，  ２０１５  （Ｐａｐｅ）；
Ｕ．Ｓ．  特許  出願  Ｎｏ．  １４／７０７，４９２  ｆｏｒ  ＭＥＴＨＯＤ  ＡＮＤ  ＡＰＰＡＲＡＴＵＳ  ＦＯＲ  ＲＥＡＤＩＮＧ  ＯＰＴＩＣＡＬ  ＩＮＤＩＣＩＡ  ＵＳＩＮＧ  Ａ  ＰＬＵＲＡＬＩＴＹ  ＯＦ  ＤＡＴＡ  ＳＯＵＲＣＥＳ  ｆｉｌｅｄ  Ｍａｙ  ８，  ２０１５  （Ｓｍｉｔｈ  ｅｔ  ａｌ．）；
Ｕ．Ｓ．  特許  出願  Ｎｏ．  １４／７１０，６６６  ｆｏｒ  ＰＲＥ−ＰＡＩＤ  ＵＳＡＧＥ  ＳＹＳＴＥＭ  ＦＯＲ  ＥＮＣＯＤＥＤ  ＩＮＦＯＲＭＡＴＩＯＮ  ＲＥＡＤＩＮＧ  ＴＥＲＭＩＮＡＬＳ  ｆｉｌｅｄ  Ｍａｙ  １３，  ２０１５  （Ｓｍｉｔｈ）；
Ｕ．Ｓ．  特許  出願  Ｎｏ．  ２９／５２６，９１８  ｆｏｒ  ＣＨＡＲＧＩＮＧ  ＢＡＳＥ  ｆｉｌｅｄ  Ｍａｙ  １４，  ２０１５  （Ｆｉｔｃｈ  ｅｔ  ａｌ．）；
Ｕ．Ｓ．  特許  出願  Ｎｏ．  １４／７１５，６７２  ｆｏｒ  ＡＵＧＵＭＥＮＴＥＤ  ＲＥＡＬＩＴＹ  ＥＮＡＢＬＥＤ  ＨＡＺＡＲＤ  ＤＩＳＰＬＡＹ  ｆｉｌｅｄ  Ｍａｙ  １９，  ２０１５  （Ｖｅｎｋａｔｅｓｈａ  ｅｔ  ａｌ．）；
Ｕ．Ｓ．  特許  出願  Ｎｏ．  １４／７１５，９１６  ｆｏｒ  ＥＶＡＬＵＡＴＩＮＧ  ＩＭＡＧＥ  ＶＡＬＵＥＳ  ｆｉｌｅｄ  Ｍａｙ  １９，  ２０１５  （Ａｃｋｌｅｙ）；
Ｕ．Ｓ．  特許  出願  Ｎｏ．  １４／７２２，６０８  ｆｏｒ  ＩＮＴＥＲＡＣＴＩＶＥ  ＵＳＥＲ  ＩＮＴＥＲＦＡＣＥ  ＦＯＲ  ＣＡＰＴＵＲＩＮＧ  Ａ  ＤＯＣＵＭＥＮＴ  ＩＮ  ＡＮ  ＩＭＡＧＥ  ＳＩＧＮＡＬ  ｆｉｌｅｄ  Ｍａｙ  ２７，  ２０１５  （Ｓｈｏｗｅｒｉｎｇ  ｅｔ  ａｌ．）；
Ｕ．Ｓ．  特許  出願  Ｎｏ．  ２９／５２８，１６５  ｆｏｒ  ＩＮ−ＣＯＵＮＴＥＲ  ＢＡＲＣＯＤＥ  ＳＣＡＮＮＥＲ  ｆｉｌｅｄ  Ｍａｙ  ２７，  ２０１５  （Ｏｂｅｒｐｒｉｌｌｅｒ  ｅｔ  ａｌ．）；
Ｕ．Ｓ．  特許  出願  Ｎｏ．  １４／７２４，１３４  ｆｏｒ  ＥＬＥＣＴＲＯＮＩＣ  ＤＥＶＩＣＥ  ＷＩＴＨ  ＷＩＲＥＬＥＳＳ  ＰＡＴＨ  ＳＥＬＥＣＴＩＯＮ  ＣＡＰＡＢＩＬＩＴＹ  ｆｉｌｅｄ  Ｍａｙ  ２８，  ２０１５  （Ｗａｎｇ  ｅｔ  ａｌ．）；
Ｕ．Ｓ．  特許  出願  Ｎｏ．  １４／７２４，８４９  ｆｏｒ  ＭＥＴＨＯＤ  ＯＦ  ＰＲＯＧＲＡＭＭＩＮＧ  ＴＨＥ  ＤＥＦＡＵＬＴ  ＣＡＢＬＥ  ＩＮＴＥＲＦＡＣＥ  ＳＯＦＴＷＡＲＥ  ＩＮ  ＡＮ  ＩＮＤＩＣＩＡ  ＲＥＡＤＩＮＧ  ＤＥＶＩＣＥ  ｆｉｌｅｄ  Ｍａｙ  ２９，  ２０１５  （Ｂａｒｔｅｎ）；
Ｕ．Ｓ．  特許  出願  Ｎｏ．  １４／７２４，９０８  ｆｏｒ  ＩＭＡＧＩＮＧ  ＡＰＰＡＲＡＴＵＳ  ＨＡＶＩＮＧ  ＩＭＡＧＩＮＧ  ＡＳＳＥＭＢＬＹ  ｆｉｌｅｄ  Ｍａｙ  ２９，  ２０１５  （Ｂａｒｂｅｒ  ｅｔ  ａｌ．）；
Ｕ．Ｓ．  特許  出願  Ｎｏ．  １４／７２５，３５２  ｆｏｒ  ＡＰＰＡＲＡＴＵＳ  ＡＮＤ  ＭＥＴＨＯＤＳ  ＦＯＲ  ＭＯＮＩＴＯＲＩＮＧ  ＯＮＥ  ＯＲ  ＭＯＲＥ  ＰＯＲＴＡＢＬＥ  ＤＡＴＡ  ＴＥＲＭＩＮＡＬＳ  （Ｃａｂａｌｌｅｒｏ  ｅｔ  ａｌ．）；
Ｕ．Ｓ．  特許  出願  Ｎｏ．  ２９／５２８，５９０  ｆｏｒ  ＥＬＥＣＴＲＯＮＩＣ  ＤＥＶＩＣＥ  ｆｉｌｅｄ  Ｍａｙ  ２９，  ２０１５  （Ｆｉｔｃｈ  ｅｔ  ａｌ．）；
Ｕ．Ｓ．  特許  出願  Ｎｏ．  ２９／５２８，８９０  ｆｏｒ  ＭＯＢＩＬＥ  ＣＯＭＰＵＴＥＲ  ＨＯＵＳＩＮＧ  ｆｉｌｅｄ  Ｊｕｎｅ  ２，  ２０１５  （Ｆｉｔｃｈ  ｅｔ  ａｌ．）；
Ｕ．Ｓ．  特許  出願  Ｎｏ．  １４／７２８，３９７  ｆｏｒ  ＤＥＶＩＣＥ  ＭＡＮＡＧＥＭＥＮＴ  ＵＳＩＮＧ  ＶＩＲＴＵＡＬ  ＩＮＴＥＲＦＡＣＥＳ  ＣＲＯＳＳ−ＲＥＦＥＲＥＮＣＥ  ＴＯ  ＲＥＬＡＴＥＤ  出願Ｓ  ｆｉｌｅｄ  Ｊｕｎｅ  ２，  ２０１５  （Ｃａｂａｌｌｅｒｏ）；
Ｕ．Ｓ．  特許  出願  Ｎｏ．  １４／７３２，８７０  ｆｏｒ  ＤＡＴＡ  ＣＯＬＬＥＣＴＩＯＮ  ＭＯＤＵＬＥ  ＡＮＤ  ＳＹＳＴＥＭ  ｆｉｌｅｄ  Ｊｕｎｅ  ８，  ２０１５  （Ｐｏｗｉｌｌｅｉｔ）；
Ｕ．Ｓ．  特許  出願  Ｎｏ．  ２９／５２９，４４１  ｆｏｒ  ＩＮＤＩＣＩＡ  ＲＥＡＤＩＮＧ  ＤＥＶＩＣＥ  ｆｉｌｅｄ  Ｊｕｎｅ  ８，  ２０１５  （Ｚｈｏｕ  ｅｔ  ａｌ．）；
Ｕ．Ｓ．  特許  出願  Ｎｏ．  １４／７３５，７１７  ｆｏｒ  ＩＮＤＩＣＩＡ−ＲＥＡＤＩＮＧ  ＳＹＳＴＥＭＳ  ＨＡＶＩＮＧ  ＡＮ  ＩＮＴＥＲＦＡＣＥ  ＷＩＴＨ  Ａ  ＵＳＥＲ’Ｓ  ＮＥＲＶＯＵＳ  ＳＹＳＴＥＭ  ｆｉｌｅｄ  Ｊｕｎｅ  １０，  ２０１５  （Ｔｏｄｅｓｃｈｉｎｉ）；
Ｕ．Ｓ．  特許  出願  Ｎｏ．  １４／７３８，０３８  ｆｏｒ  ＭＥＴＨＯＤ  ＯＦ  ＡＮＤ  ＳＹＳＴＥＭ  ＦＯＲ  ＤＥＴＥＣＴＩＮＧ  ＯＢＪＥＣＴ  ＷＥＩＧＨＩＮＧ  ＩＮＴＥＲＦＥＲＥＮＣＥＳ  ｆｉｌｅｄ  Ｊｕｎｅ  １２，  ２０１５  （Ａｍｕｎｄｓｅｎ  ｅｔ  ａｌ．）；
Ｕ．Ｓ．  特許  出願  Ｎｏ．  １４／７４０，３２０  ｆｏｒ  ＴＡＣＴＩＬＥ  ＳＷＩＴＣＨ  ＦＯＲ  Ａ  ＭＯＢＩＬＥ  ＥＬＥＣＴＲＯＮＩＣ  ＤＥＶＩＣＥ  ｆｉｌｅｄ  Ｊｕｎｅ  １６，  ２０１５  （Ｂａｎｄｒｉｎｇａ）；
Ｕ．Ｓ．  特許  出願  Ｎｏ．  １４／７４０，３７３  ｆｏｒ  ＣＡＬＩＢＲＡＴＩＮＧ  Ａ  ＶＯＬＵＭＥ  ＤＩＭＥＮＳＩＯＮＥＲ  ｆｉｌｅｄ  Ｊｕｎｅ  １６，  ２０１５  （Ａｃｋｌｅｙ  ｅｔ  ａｌ．）；
Ｕ．Ｓ．  特許  出願  Ｎｏ．  １４／７４２，８１８  ｆｏｒ  ＩＮＤＩＣＩＡ  ＲＥＡＤＩＮＧ  ＳＹＳＴＥＭ  ＥＭＰＬＯＹＩＮＧ  ＤＩＧＩＴＡＬ  ＧＡＩＮ  ＣＯＮＴＲＯＬ  ｆｉｌｅｄ  Ｊｕｎｅ  １８，  ２０１５  （Ｘｉａｎ  ｅｔ  ａｌ．）；
Ｕ．Ｓ．  特許  出願  Ｎｏ．  １４／７４３，２５７  ｆｏｒ  ＷＩＲＥＬＥＳＳ  ＭＥＳＨ  ＰＯＩＮＴ  ＰＯＲＴＡＢＬＥ  ＤＡＴＡ  ＴＥＲＭＩＮＡＬ  ｆｉｌｅｄ  Ｊｕｎｅ  １８，  ２０１５  （Ｗａｎｇ  ｅｔ  ａｌ．）；
Ｕ．Ｓ．  特許  出願  Ｎｏ．  ２９／５３０，６００  ｆｏｒ  ＣＹＣＬＯＮＥ  ｆｉｌｅｄ  Ｊｕｎｅ  １８，  ２０１５  （Ｖａｒｇｏ  ｅｔ  ａｌ）；
Ｕ．Ｓ．  特許  出願  Ｎｏ．  １４／７４４，６３３  ｆｏｒ  ＩＭＡＧＩＮＧ  ＡＰＰＡＲＡＴＵＳ  ＣＯＭＰＲＩＳＩＮＧ  ＩＭＡＧＥ  ＳＥＮＳＯＲ  ＡＲＲＡＹ  ＨＡＶＩＮＧ  ＳＨＡＲＥＤ  ＧＬＯＢＡＬ  ＳＨＵＴＴＥＲ  ＣＩＲＣＵＩＴＲＹ  ｆｉｌｅｄ  Ｊｕｎｅ  １９，  ２０１５  （Ｗａｎｇ）；
Ｕ．Ｓ．  特許  出願  Ｎｏ．  １４／７４４，８３６  ｆｏｒ  ＣＬＯＵＤ−ＢＡＳＥＤ  ＳＹＳＴＥＭ  ＦＯＲ  ＲＥＡＤＩＮＧ  ＯＦ  ＤＥＣＯＤＡＢＬＥ  ＩＮＤＩＣＩＡ  ｆｉｌｅｄ  Ｊｕｎｅ  １９，  ２０１５  （Ｔｏｄｅｓｃｈｉｎｉ  ｅｔ  ａｌ．）；
Ｕ．Ｓ．  特許  出願  Ｎｏ．  １４／７４５，００６  ｆｏｒ  ＳＥＬＥＣＴＩＶＥ  ＯＵＴＰＵＴ  ＯＦ  ＤＥＣＯＤＥＤ  ＭＥＳＳＡＧＥ  ＤＡＴＡ  ｆｉｌｅｄ  Ｊｕｎｅ  １９，  ２０１５  （Ｔｏｄｅｓｃｈｉｎｉ  ｅｔ  ａｌ．）；
Ｕ．Ｓ．  特許  出願  Ｎｏ．  １４／７４７，１９７  ｆｏｒ  ＯＰＴＩＣＡＬ  ＰＡＴＴＥＲＮ  ＰＲＯＪＥＣＴＯＲ  ｆｉｌｅｄ  Ｊｕｎｅ  ２３，  ２０１５  （Ｔｈｕｒｉｅｓ  ｅｔ  ａｌ．）；
Ｕ．Ｓ．  特許  出願  Ｎｏ．  １４／７４７，４９０  ｆｏｒ  ＤＵＡＬ−ＰＲＯＪＥＣＴＯＲ  ＴＨＲＥＥ−ＤＩＭＥＮＳＩＯＮＡＬ  ＳＣＡＮＮＥＲ  ｆｉｌｅｄ  Ｊｕｎｅ  ２３，  ２０１５  （Ｊｏｖａｎｏｖｓｋｉ  ｅｔ  ａｌ．）；  ａｎｄ
Ｕ．Ｓ．  特許  出願  Ｎｏ．  １４／７４８，４４６  ｆｏｒ  ＣＯＲＤＬＥＳＳ  ＩＮＤＩＣＩＡ  ＲＥＡＤＥＲ  ＷＩＴＨ  Ａ  ＭＵＬＴＩＦＵＮＣＴＩＯＮ  ＣＯＩＬ  ＦＯＲ  ＷＩＲＥＬＥＳＳ  ＣＨＡＲＧＩＮＧ  ＡＮＤ  ＥＡＳ  ＤＥＡＣＴＩＶＡＴＩＯＮ，  ｆｉｌｅｄ  Ｊｕｎｅ  ２４，  ２０１５  （Ｘｉｅ  ｅｔ  ａｌ．）．
[0049]加速度に基づく動き許容および予測符号化方法およびシステムを用いる、ある決まった特定の構造が、本明細書で示され説明されているが、当業者には、部分の様々な修正および再編成が、基礎となる発明の概念の趣旨および範囲から逸脱することなく行われ得るということ、ならびに、前述のものが、添付される特許請求の範囲の範囲により指示される場合を除き、本明細書で示され説明される個別の形式に制限されないということは明らかであろう。
【符号の説明】
【００５０】
１０  加速度に基づく動き許容および予測符号化方法、方法
１１  スキャン可能な表面
１２  スキャナー、ポータブルスキャナー
１３  スキャン可能な対象
１４  ハウジング、スキャナーハウジング
１６  プロセッサ
１８  メモリ構成要素
２０  電源
２２  画像センサ、センサ
２４  光源
２６  動きセンサ
３０  関心領域
３２  画像、捕捉される画像
３６  中心
３８  右上隅
４０  右縁部
１４０  ブロック、ステップ
１５０  ブロック
１６０  ステップ
Ａ  視野方向
Ｂ  視野区域
Ｃ  縁部
Ｐ  撮像面
Ｖ１  相対的な速度
Ｖ２、Ｖ３  速度
ＶＯ、ＶＳ  速度成分
【図１】
2016126797.tif 000003
【図２】
2016126797.tif 000004
【図３】
2016126797.tif 000005
【図４】
2016126797.tif 000006
【図５】
2016126797.tif 000007
【図６】
2016126797.tif 000008
【図７】
2016126797.tif 000009